(57)【要約】  本発明は無線通信システムにおいて、端末がデータチャネルを送受信する方法を開示する。特に、この方法は、ＰＤＳＣＨ(Ｐｈｙｓｉｃａｌ Ｄｏｗｎｌｉｎｋ Ｓｈａｒｅｄ Ｃｈａｎｎｅｌ)又はＰＵＳＣＨ(Ｐｈｙｓｉｃａｌ Ｕｐｌｉｎｋ Ｓｈａｒｅｄ Ｃｈａｎｎｅｌ)のためのリソース領域に関する情報を含むＤＣＩ(Ｄｏｗｎｌｉｎｋ ｃｏｎｔｒｏｌ Ｉｎｆｏｒｍａｔｉｏｎ)を受信し、該ＤＣＩからＲＩＶ(Ｒｅｓｏｕｒｃｅ Ｉｎｄｉｃａｔｉｏｎ Ｖａｌｕｅ)を得、該ＲＩＶに基づいて第１割り当てリソースブロックの長さを得、スケーリング因子に基づいて第１割り当てリソースブロックの長さを第２割り当てリソースブロックの長さでスケーリングし、第２割り当てリソースブロックの長さに基づいてＰＤＳＣＨを受信するか又はＰＵＳＣＨを送信することを含み、スケーリング因子は２nであり、ｎは負ではない整数である。
2020522903.tif 000002
【特許請求の範囲】
【請求項１】
無線通信システムにおいて、端末がデータチャネルを送受信する方法であって、
ＰＤＳＣＨ(Ｐｈｙｓｉｃａｌ Ｄｏｗｎｌｉｎｋ Ｓｈａｒｅｄ Ｃｈａｎｎｅｌ)又はＰＵＳＣＨ(Ｐｈｙｓｉｃａｌ Ｕｐｌｉｎｋ Ｓｈａｒｅｄ Ｃｈａｎｎｅｌ)のためのリソース領域に関する情報を含むＤＣＩ(Ｄｏｗｎｌｉｎｋ ｃｏｎｔｒｏｌ Ｉｎｆｏｒｍａｔｉｏｎ)を受信し、
前記ＤＣＩからＲＩＶ(Ｒｅｓｏｕｒｃｅ Ｉｎｄｉｃａｔｉｏｎ Ｖａｌｕｅ)を得、
前記ＲＩＶに基づいて第１割り当てリソースブロックの長さを得、
スケーリング因子(Ｓｃａｌｉｎｇ Ｆａｃｔｏｒ)に基づいて前記第１割り当てリソースブロックの長さを第２割り当てリソースブロックの長さでスケーリングし、
前記第２割り当てリソースブロックの長さに基づいて前記ＰＤＳＣＨを受信するか又は前記ＰＵＳＣＨを送信することを含み、
前記スケーリング因子は２nであり、
前記ｎは負ではない整数である、データチャネル送受信方法。
【請求項２】
前記ＤＣＩの大きさは初期接続(Ｉｎｉｔｉａｌ Ａｃｃｅｓｓ)のための第１周波数範囲に基づいて決定され、
前記ＰＤＳＣＨの受信又はＰＵＳＣＨの送信は第２周波数範囲で行われる、請求項１に記載のデータチャネル送受信方法。
【請求項３】
前記スケーリング因子は、前記第１周波数範囲のサイズに２nを乗じた値が前記第２周波数範囲のサイズ以下である値のうち、最大の整数値である、請求項２に記載のデータチャネル送受信方法。
【請求項４】
前記スケーリング因子は、前記第２周波数範囲のサイズを前記第１周波数範囲のサイズで割った値に床関数(ｆｌｏｏｒ ｆｕｎｃｔｉｏｎ)を適用して得られる、請求項２に記載のデータチャネル送受信方法。
【請求項５】
前記ＲＩＶに基づいて第１開始リソースブロック(Ｓｔａｒｔｉｎｇ Ｒｅｓｏｕｒｃｅ Ｂｌｏｃｋ)を得、
前記第１開始リソースブロックは、前記スケーリング因子に基づいて第２開始リソースブロックでスケーリングされる、請求項１に記載のデータチャネル送受信方法。
【請求項６】
前記端末は、前記端末以外の端末、ネットワーク、基地局及び自律走行車両のうちのいずれか１つと通信可能である、請求項１に記載のデータチャネル送受信方法。
【請求項７】
無線通信システムにおいて、データチャネルを送受信するための装置であって、
少なくとも１つのプロセッサ；及び
前記少なくとも１つのプロセッサに動作可能に連結され、実行される場合、前記少なくとも１つのプロセッサが特定の動作を行うようにする命令(ｉｎｓｔｒｕｃｔｉｏｎｓ)を貯蔵する少なくとも１つのメモリ；を含み、
前記特定の動作は、
ＰＤＳＣＨ(Ｐｈｙｓｉｃａｌ Ｄｏｗｎｌｉｎｋ Ｓｈａｒｅｄ Ｃｈａｎｎｅｌ)又はＰＵＳＣＨ(Ｐｈｙｓｉｃａｌ Ｕｐｌｉｎｋ Ｓｈａｒｅｄ Ｃｈａｎｎｅｌ)のためのリソース領域に関する情報を含むＤＣＩ(Ｄｏｗｎｌｉｎｋ ｃｏｎｔｒｏｌ Ｉｎｆｏｒｍａｔｉｏｎ)を受信し、
前記ＤＣＩからＲＩＶ(Ｒｅｓｏｕｒｃｅ Ｉｎｄｉｃａｔｉｏｎ Ｖａｌｕｅ)を得、
前記ＲＩＶに基づいて第１割り当てリソースブロックの長さを得、
スケーリング因子(Ｓｃａｌｉｎｇ Ｆａｃｔｏｒ)に基づいて前記第１割り当てリソースブロックの長さを第２割り当てリソースブロックの長さでスケーリングし、
前記第２割り当てリソースブロックの長さに基づいて前記ＰＤＳＣＨを受信するか又は前記ＰＵＳＣＨを送信することを含み、
前記スケーリング因子は２nであり、
前記ｎは負ではない整数である、装置。
【請求項８】
前記ＤＣＩの大きさは初期接続(Ｉｎｉｔｉａｌ Ａｃｃｅｓｓ)のための第１周波数範囲に基づいて決定され、
前記ＰＤＳＣＨの受信又はＰＵＳＣＨの送信は第２周波数範囲で行われる、請求項７に記載の装置。
【請求項９】
前記スケーリング因子は、前記第１周波数範囲のサイズに２の倍数を乗じた値が前記第２周波数範囲のサイズ以下である値のうち、最大の整数値である、請求項８に記載の装置。
【請求項１０】
前記スケーリング因子は、前記第２周波数範囲のサイズを前記第１周波数範囲のサイズで割った値に床関数(ｆｌｏｏｒ ｆｕｎｃｔｉｏｎ)を適用して得られる、請求項８に記載の装置。
【請求項１１】
前記ＲＩＶに基づいて第１開始リソースブロック(Ｓｔａｒｔｉｎｇ Ｒｅｓｏｕｒｃｅ Ｂｌｏｃｋ)を得、
前記第１開始リソースブロックは前記スケーリング因子に基づいて第２開始リソースブロックでスケーリングされる、請求項７に記載の装置。
【請求項１２】
前記装置は、端末、ネットワーク、基地局及び前記装置以外の自律走行車両のうちのいずれか１つと通信可能である、請求項７に記載の装置。
【請求項１３】
無線通信システムにおいて、データチャネルを送受信するための端末であって、
少なくとも１つのトランシーバ；
少なくとも１つのプロセッサ；及び
前記少なくとも１つのプロセッサに動作可能に連結され、実行される場合、前記少なくとも１つのプロセッサが特定の動作を行うようにする命令(ｉｎｓｔｒｕｃｔｉｏｎｓ)を貯蔵する少なくとも１つのメモリ；を含み、
前記特定の動作は、
前記少なくとも１つのトランシーバにより、ＰＤＳＣＨ(Ｐｈｙｓｉｃａｌ Ｄｏｗｎｌｉｎｋ Ｓｈａｒｅｄ Ｃｈａｎｎｅｌ)又はＰＵＳＣＨ(Ｐｈｙｓｉｃａｌ Ｕｐｌｉｎｋ Ｓｈａｒｅｄ Ｃｈａｎｎｅｌ)のためのリソース領域に関する情報を含むＤＣＩ(Ｄｏｗｎｌｉｎｋ Ｃｏｎｔｒｏｌ Ｉｎｆｏｒｍａｔｉｏｎ)を受信し、
前記ＤＣＩからＲＩＶ(Ｒｅｓｏｕｒｃｅ Ｉｎｄｉｃａｔｉｏｎ Ｖａｌｕｅ)を得、
前記ＲＩＶに基づいて第１割り当てリソースブロックの長さを得、
スケーリング因子(Ｓｃａｌｉｎｇ Ｆａｃｔｏｒ)に基づいて前記第１割り当てリソースブロックの長さを第２割り当てリソースブロックの長さでスケーリングし、
前記少なくとも１つのトランシーバにより、前記第２割り当てリソースブロックの長さに基づいて前記ＰＤＳＣＨを受信するか又は前記ＰＵＳＣＨを送信することを含み、
前記スケーリング因子は２nであり、
前記ｎは負ではない整数である、端末。
【請求項１４】
無線通信システムにおいて、基地局がデータチャネルを送受信する方法であって、
ＲＩＶ(Ｒｅｓｏｕｒｃｅ Ｉｎｄｉｃａｔｉｏｎ Ｖａｌｕｅ)に関するリソース領域情報を含むＤＣＩ(Ｄｏｗｎｌｉｎｋ Ｃｏｎｔｒｏｌ Ｉｎｆｏｒｍａｔｉｏｎ)を送信し、
前記ＲＩＶに基づく第１割り当てリソースブロックの長さに基づいて前記ＰＤＳＣＨを送信するか又は前記ＰＵＳＣＨを受信することを含み、
前記第１割り当てリソースブロックは、前記ＲＩＶに基づいて得られる第２割り当てリソースブロックをスケーリング因子(Ｓｃａｌｉｎｇ Ｆａｃｔｏｒ)に基づいてスケーリングしたものであり、
前記スケーリング因子は２nであり、
前記ｎは負ではない整数である、データチャネル送受信方法。
【請求項１５】
無線通信システムにおいて、データチャネルを送受信するための基地局であって、
少なくとも１つのトランシーバ；
少なくとも１つのプロセッサ；及び
前記少なくとも１つのプロセッサに動作可能に連結され、実行される場合、前記少なくとも１つのプロセッサが特定の動作を行うようにする命令(ｉｎｓｔｒｕｃｔｉｏｎｓ)を貯蔵する少なくとも１つのメモリ；を含み、
前記特定の動作は、
前記少なくとも１つのトランシーバにより、ＲＩＶ(Ｒｅｓｏｕｒｃｅ Ｉｎｄｉｃａｔｉｏｎ Ｖａｌｕｅ)に関するリソース領域情報を含むＤＣＩ(Ｄｏｗｎｌｉｎｋ Ｃｏｎｔｒｏｌ Ｉｎｆｏｒｍａｔｉｏｎ)を送信し、
前記少なくとも１つのトランシーバにより、前記ＲＩＶに基づく第１割り当てリソースブロックの長さに基づいて前記ＰＤＳＣＨを送信するか又は前記ＰＵＳＣＨを受信することを含み、
前記第１割り当てリソースブロックは、前記ＲＩＶに基づいて得られる第２割り当てリソースブロックをスケーリング因子(Ｓｃａｌｉｎｇ Ｆａｃｔｏｒ)に基づいてスケーリングしたものであり、
前記スケーリング因子は２nであり、
前記ｎは負ではない整数である、基地局。
【発明の詳細な説明】
【技術分野】
【０００１】
本発明は、データチャネルを送受信する方法及びそのための装置に関し、より具体的には、下りリンク制御情報(Ｄｏｗｎｌｉｎｋ Ｃｏｎｔｒｏｌ Ｉｎｆｏｒｍａｔｉｏｎ；ＤＣＩ)に含まれたリソース割り当てフィールドをスケーリングしてデータチャネルのための周波数リソースを解釈し、該解釈された周波数リソース内でデータチャネルを送受信する方法及びそのための装置に関する。
【背景技術】
【０００２】
時代の流れによってより多くの通信装置がより大きな通信トラフィックを要求することになり、既存のＬＴＥシステムに比べて向上した無線広帯域通信である次世代５Ｇシステムが要求されている。ＮｅｗＲＡＴと呼ばれるこの次世代５Ｇシステムは、Ｅｎｈａｎｃｅｄ Ｍｏｂｉｌｅ ＢｒｏａｄＢａｎｄ(ｅＭＢＢ)／Ｕｌｔｒａ−Ｒｅｌｉａｂｉｌｉｔｙ ａｎｄ Ｌｏｗ−Ｌａｔｅｎｃｙ Ｃｏｍｍｕｎｉｃａｔｉｏｎ(ＵＲＬＬＣ)／Ｍａｓｓｉｖｅ Ｍａｃｈｉｎｅ−ｔｙｐｅ Ｃｏｍｍｕｎｉｃａｔｉｏｎｓ(ｍＭＴＣ)などに通信シナリオが区分される。
【０００３】
ここで、ｅＭＢＢはＨｉｇｈ Ｓｐｅｃｔｒｕｍ Ｅｆｆｉｃｉｅｎｃｙ、Ｈｉｇｈ Ｕｓｅｒ Ｅｘｐｅｒｉｅｎｃｅｄ Ｄａｔａ Ｒａｔｅ、Ｈｉｇｈ Ｐｅａｋ Ｄａｔａ Ｒａｔｅなどの特性を有する次世代移動通信シナリオであり、ＵＲＬＬＣはＵｌｔｒａ Ｒｅｌｉａｂｌｅ、Ｕｌｔｒａ Ｌｏｗ Ｌａｔｅｎｃｙ、Ｕｌｔｒａ Ｈｉｇｈ Ａｖａｉｌａｂｉｌｉｔｙなどの特性を有する次世代移動通信シナリオであり(ｅ.ｇ.，Ｖ２Ｘ、Ｅｍｅｒｇｅｎｃｙ Ｓｅｒｖｉｃｅ、Ｒｅｍｏｔｅ Ｃｏｎｔｒｏｌ)、ｍＭＴＣはＬｏｗ Ｃｏｓｔ、Ｌｏｗ Ｅｎｅｒｇｙ、Ｓｈｏｒｔ Ｐａｃｋｅｔ、Ｍａｓｓｉｖｅ Ｃｏｎｎｅｃｔｉｖｉｔｙの特性を有する次世代移動通信シナリオである(ｅ.ｇ.，ＩｏＴ)。
【発明の概要】
【発明が解決しようとする課題】
【０００４】
本発明は、データチャネルを送受信する方法及びそのための装置を提供することを目的とする。
【０００５】
本発明で達成しようとする技術的課題は前記技術的課題に制限されず、言及しなかった他の技術的課題は下記の記載から本発明が属する技術分野で通常の知識を有する者に明らかに理解可能であろう。
【課題を解決するための手段】
【０００６】
本発明の実施例による無線通信システムにおいて、端末がデータチャネルを送受信する方法であって、ＰＤＳＣＨ(Ｐｈｙｓｉｃａｌ Ｄｏｗｎｌｉｎｋ Ｓｈａｒｅｄ Ｃｈａｎｎｅｌ)又はＰＵＳＣＨ(Ｐｈｙｓｉｃａｌ Ｕｐｌｉｎｋ Ｓｈａｒｅｄ Ｃｈａｎｎｅｌ)のためのリソース領域に関する情報を含むＤＣＩ(Ｄｏｗｎｌｉｎｋ ｃｏｎｔｒｏｌ Ｉｎｆｏｒｍａｔｉｏｎ)を受信し、該ＤＣＩからＲＩＶ(Ｒｅｓｏｕｒｃｅ Ｉｎｄｉｃａｔｉｏｎ Ｖａｌｕｅ)を得、該ＲＩＶに基づいて第１割り当てリソースブロックの長さを得、スケーリング因子(Ｓｃａｌｉｎｇ Ｆａｃｔｏｒ)に基づいて第１割り当てリソースブロックの長さを第２割り当てリソースブロックの長さでスケーリングし、第２割り当てリソースブロックの長さに基づいてＰＤＳＣＨを受信するか又はＰＵＳＣＨを送信することを含み、スケーリング因子は２nであり、ｎは負ではない整数である。
【０００７】
この時、ＤＣＩの大きさは初期接続(Ｉｎｉｔｉａｌ Ａｃｃｅｓｓ)のための第１周波数範囲に基づいて決定され、ＰＤＳＣＨの受信又はＰＵＳＣＨの送信は第２周波数範囲で行われる。
【０００８】
またスケーリング因子は、第１周波数範囲のサイズに２の倍数を乗じた値が第２周波数範囲のサイズ以下である値のうち、最大の整数値である。
【０００９】
またスケーリング因子は、第２周波数範囲のサイズを第１周波数範囲のサイズで割った値に床関数(ｆｌｏｏｒ ｆｕｎｃｔｉｏｎ)を適用して得られる。
【００１０】
またＲＩＶに基づいて第１開始リソースブロック(Ｓｔａｒｔｉｎｇ Ｒｅｓｏｕｒｃｅ Ｂｌｏｃｋ)を得、第１開始リソースブロックはスケーリング因子に基づいて第２開始リソースブロックでスケーリングされる。
【００１１】
また端末は、該端末以外の端末、ネットワーク、基地局及び自律走行車両のうちのいずれか１つと通信可能である。
【００１２】
本発明による無線通信システムにおいて、データチャネルを送受信するための装置であって、少なくとも１つのプロセッサ；及び該少なくとも１つのプロセッサに動作可能に接続される少なくとも１つのメモリを含み、該少なくとも１つのプロセッサは、ＰＤＳＣＨ(Ｐｈｙｓｉｃａｌ Ｄｏｗｎｌｉｎｋ Ｓｈａｒｅｄ Ｃｈａｎｎｅｌ)又はＰＵＳＣＨ(Ｐｈｙｓｉｃａｌ Ｕｐｌｉｎｋ Ｓｈａｒｅｄ Ｃｈａｎｎｅｌ)のためのリソース領域に関する情報を含むＤＣＩ(Ｄｏｗｎｌｉｎｋ ｃｏｎｔｒｏｌ Ｉｎｆｏｒｍａｔｉｏｎ)を受信し、該ＤＣＩからＲＩＶ(Ｒｅｓｏｕｒｃｅ Ｉｎｄｉｃａｔｉｏｎ Ｖａｌｕｅ)を得、該ＲＩＶに基づいて第１割り当てリソースブロックの長さを得、スケーリング因子(Ｓｃａｌｉｎｇ Ｆａｃｔｏｒ)に基づいて第１割り当てリソースブロックの長さを第２割り当てリソースブロックの長さでスケーリングし、第２割り当てリソースブロックの長さに基づいてＰＤＳＣＨを受信するか又はＰＵＳＣＨを送信することを含み、スケーリング因子は２nであり、ｎは負ではない整数である。
【００１３】
この時、ＤＣＩの大きさは初期接続(Ｉｎｉｔｉａｌ Ａｃｃｅｓｓ)のための第１周波数範囲に基づいて決定され、ＰＤＳＣＨの受信又はＰＵＳＣＨの送信は第２周波数範囲で行われる。
【００１４】
またスケーリング因子は、第１周波数範囲のサイズに２の倍数を乗じた値が第２周波数範囲のサイズ以下である値のうち、最大の整数値である。
【００１５】
またスケーリング因子は、第２周波数範囲のサイズを第１周波数範囲のサイズで割った値に床関数(ｆｌｏｏｒ ｆｕｎｃｔｉｏｎ)を適用して得られる。
【００１６】
またＲＩＶに基づいて第１開始リソースブロック(Ｓｔａｒｔｉｎｇ Ｒｅｓｏｕｒｃｅ Ｂｌｏｃｋ)を得、第１開始リソースブロックはスケーリング因子に基づいて第２開始リソースブロックでスケーリングされる。
【００１７】
また装置は、端末、ネットワーク、基地局及び前記装置以外の自律走行車両のうちのいずれか１つと通信可能である。
【００１８】
本発明による無線通信システムにおいて、データチャネルを送受信するための端末であって、少なくとも１つのトランシーバ；少なくとも１つのプロセッサ；及び該少なくとも１つのプロセッサに動作可能に接続する少なくとも１つのメモリを含み、該少なくとも１つのプロセッサは、ＰＤＳＣＨ(Ｐｈｙｓｉｃａｌ Ｄｏｗｎｌｉｎｋ Ｓｈａｒｅｄ Ｃｈａｎｎｅｌ)又はＰＵＳＣＨ(Ｐｈｙｓｉｃａｌ Ｕｐｌｉｎｋ Ｓｈａｒｅｄ Ｃｈａｎｎｅｌ)のためのリソース領域に関する情報を含むＤＣＩ(Ｄｏｗｎｌｉｎｋ Ｃｏｎｔｒｏｌ Ｉｎｆｏｒｍａｔｉｏｎ)を受信するように少なくとも１つのトランシーバを制御し、ＤＣＩからＲＩＶ(Ｒｅｓｏｕｒｃｅ Ｉｎｄｉｃａｔｉｏｎ Ｖａｌｕｅ)を得、該ＲＩＶに基づいて第１割り当てリソースブロックの長さを得、スケーリング因子(Ｓｃａｌｉｎｇ Ｆａｃｔｏｒ)に基づいて第１割り当てリソースブロックの長さを第２割り当てリソースブロックの長さでスケーリングし、第２割り当てリソースブロックの長さに基づいてＰＤＳＣＨを受信するか又はＰＵＳＣＨを送信するように少なくとも１つのトランシーバを制御することを含み、スケーリング因子は２nであり、ｎは負ではない整数である。
【００１９】
本発明の実施例による無線通信システムにおいて、基地局がデータチャネルを送受信する方法であって、ＲＩＶ(Ｒｅｓｏｕｒｃｅ Ｉｎｄｉｃａｔｉｏｎ Ｖａｌｕｅ)に関するリソース領域情報を含むＤＣＩ(Ｄｏｗｎｌｉｎｋ Ｃｏｎｔｒｏｌ Ｉｎｆｏｒｍａｔｉｏｎ)を送信し、ＲＩＶに基づく第１割り当てリソースブロックの長さに基づいてＰＤＳＣＨを送信するか又はＰＵＳＣＨを受信することを含み、第１割り当てリソースブロックは、ＲＩＶに基づいて得られる第２割り当てリソースブロックをスケーリング因子(Ｓｃａｌｉｎｇ Ｆａｃｔｏｒ)に基づいてスケーリングしたものであり、スケーリング因子は２nであり、ｎは負ではない整数である。
【００２０】
本発明による無線通信システムにおいて、データチャネルを送受信するための基地局であって、少なくとも１つのトランシーバ；少なくとも１つのプロセッサ；及び少なくとも１つのプロセッサに動作可能に接続する少なくとも１つのメモリを含み、該少なくとも１つのプロセッサは、ＲＩＶ(Ｒｅｓｏｕｒｃｅ Ｉｎｄｉｃａｔｉｏｎ Ｖａｌｕｅ)に関するリソース領域情報を含むＤＣＩ(Ｄｏｗｎｌｉｎｋ Ｃｏｎｔｒｏｌ Ｉｎｆｏｒｍａｔｉｏｎ)を送信するように少なくとも１つのトランシーバを制御し、ＲＩＶに基づく第１割り当てリソースブロックの長さに基づいてＰＤＳＣＨを送信するか又はＰＵＳＣＨを受信するように少なくとも１つのトランシーバを制御することを含み、第１割り当てリソースブロックは、ＲＩＶに基づいて得られる第２割り当てリソースブロックをスケーリング因子(Ｓｃａｌｉｎｇ Ｆａｃｔｏｒ)に基づいてスケーリングしたものであり、スケーリング因子は２nであり、ｎは負ではない整数である。
【発明の効果】
【００２１】
本発明によれば、下りリンク制御情報のサイズが制限的な状況において、下りリンクデータチャネル又は上りリンクデータチャネルに対するリソースを効率的に割り当てることができる。
【００２２】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００２３】
【図１】３ＧＰＰ無線接続網の規格に基づく端末とＥ−ＵＴＲＡＮの間の無線インターフェースプロトコル(Ｒａｄｉｏ Ｉｎｔｅｒｆａｃｅ Ｐｒｏｔｏｃｏｌ)の制御平面(Ｃｏｎｔｒｏｌ Ｐｌａｎｅ)及び使用者平面(Ｕｓｅｒ Ｐｌａｎｅ)構造を示す図である。
【図２】３ＧＰＰシステムに用いられる物理チャネル及びこれらを用いた一般的な信号送信方法を説明する図である。
【図３】ＮＲシステムで使用される無線フレーム及びスロットの構造を説明するための図である。
【図４】ＮＲシステムで使用される無線フレーム及びスロットの構造を説明するための図である。
【図５】ＮＲシステムで使用される無線フレーム及びスロットの構造を説明するための図である。
【図６】ＮＲシステムにおいて下りリンク制御チャネル(Ｐｈｙｓｉｃａｌ Ｄｏｗｎｌｉｎｋ ｃｏｎｔｒｏｌ Ｃｈａｎｎｅｌ；ＰＤＣＣＨ)について説明する図である。
【図７】ＮＲシステムにおいて下りリンク制御チャネル(Ｐｈｙｓｉｃａｌ Ｄｏｗｎｌｉｎｋ ｃｏｎｔｒｏｌ Ｃｈａｎｎｅｌ；ＰＤＣＣＨ)について説明する図である。
【図８】ＮＲシステムにおいて下りリンク制御チャネル(Ｐｈｙｓｉｃａｌ Ｄｏｗｎｌｉｎｋ ｃｏｎｔｒｏｌ Ｃｈａｎｎｅｌ；ＰＤＣＣＨ)について説明する図である。
【図９】ＮＲシステムにおいてＬｏｎｇ ＰＵＣＣＨ(Ｐｈｙｓｉｃａｌ Ｕｐｌｉｎｋ ｃｏｎｔｒｏｌ Ｃｈａｎｎｅｌ)とＳｈｏｒｔ ＰＵＣＣＨの多重化を説明する図である。
【図１０】本発明の実施例による端末、基地局及びネットワークの動作過程を説明する図である。
【図１１】本発明の実施例による端末、基地局及びネットワークの動作過程を説明する図である。
【図１２】本発明の実施例による端末、基地局及びネットワークの動作過程を説明する図である。
【図１３】本発明を行う無線装置の構成要素を示すブロック図である。
【発明を実施するための形態】
【００２４】
以下、添付図面を参照しながら説明する本発明の実施例によって本発明の構成、作用及び他の特徴をより容易に理解できるであろう。以下の実施例は本発明の技術的特徴が３ＧＰＰシステムに適用された例である。
【００２５】
この明細書では、ＬＴＥシステム、ＬＴＥ−Ａシステム及びＮＲシステムを用いて本発明の実施例を説明しているが、これは一例であり、本発明の実施例は上記定義に該当するいかなる通信システムにも適用することができる。
【００２６】
また、この明細書では、基地局の名称がＲＲＨ(ｒｅｍｏｔｅ ｒａｄｉｏ ｈｅａｄ)、ｅＮＢ、ＴＰ(ｔｒａｎｓｍｉｓｓｉｏｎ ｐｏｉｎｔ)、ＲＰ(ｒｅｃｅｐｔｉｏｎ ｐｏｉｎｔ)、中継器(ｒｅｌａｙ)などの包括的な用語で使用されている。
【００２７】
３ＧＰＰ基盤の通信標準は、上位階層から生じる情報を運ぶリソース要素に対応する下りリンク物理チャネルと、物理階層によって用いられるが、上位階層から生じる情報を搬送しないリソース要素に対応する下りリンク物理信号を定義する。例えば、物理下りリンク共有チャネル(ｐｈｙｓｉｃａｌ ｄｏｗｎｌｉｎｋ ｓｈａｒｅｄ ｃｈａｎｎｅｌ、ＰＤＳＣＨ)、物理ブロードキャストチャネル(ｐｈｙｓｉｃａｌ ｂｒｏａｄｃａｓｔ ｃｈａｎｎｅｌ、ＰＢＣＨ)、物理マルチキャストチャネル(ｐｈｙｓｉｃａｌ ｍｕｌｔｉｃａｓｔ ｃｈａｎｎｅｌ、ＰＭＣＨ)、物理制御フォーマット指示子チャネル(ｐｈｙｓｉｃａｌ ｃｏｎｔｒｏｌ ｆｏｒｍａｔ ｉｎｄｉｃａｔｏｒ ｃｈａｎｎｅｌ、ＰＣＦＩＣＨ)、物理下りリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)及び物理ハイブリッドＡＲＱ指示子チャネル(ｐｈｙｓｉｃａｌ ｈｙｂｒｉｄ ＡＲＱ ｉｎｄｉｃａｔｏｒ ｃｈａｎｎｅｌ、ＰＨＩＣＨ)が下りリンク物理チャネルとして定義されており、参照信号と同期信号が下りリンク物理信号として定義されている。パイロット(ｐｉｌｏｔ)とも呼ばれる参照信号(ｒｅｆｅｒｅｎｃｅ ｓｉｇｎａｌ、ＲＳ)は、ｅＮＢとＵＥが互いに知っている既に定義された特別な波形の信号を意味するが、例えば、セル特定的ＲＳ(ｃｅｌｌ ｓｐｅｃｉｆｉｃ ＲＳ)、ＵＥ−特定的ＲＳ(ＵＥ−ｓｐｅｃｉｆｉｃ ＲＳ、ＵＥ−ＲＳ)、ポジショニングＲＳ(ｐｏｓｉｔｉｏｎｉｎｇ ＲＳ、ＰＲＳ)及びチャネル状態情報ＲＳ(ｃｈａｎｎｅｌ ｓｔａｔｅ ｉｎｆｏｒｍａｔｉｏｎ ＲＳ、ＣＳＩ−ＲＳ)が下りリンク参照信号として定義される。３ＧＰＰ ＬＴＥ／ＬＴＥ−Ａ標準は、上位階層から生じる情報を搬送するリソース要素に対応する上りリンク物理チャネルと、物理階層によって用いられるが、上位階層から生じる情報を搬送しないリソース要素に対応する上りリンク物理信号を定義している。例えば、物理上りリンク共有チャネル(ｐｈｙｓｉｃａｌ ｕｐｌｉｎｋ ｓｈａｒｅｄ ｃｈａｎｎｅｌ、ＰＵＳＣＨ)、物理上りリンク制御チャネル(ｐｈｙｓｉｃａｌ ｕｐｌｉｎｋ ｃｏｎｔｒｏｌ ｃｈａｎｎｅｌ、ＰＵＣＣＨ)、物理任意接続チャネル(ｐｈｙｓｉｃａｌ ｒａｎｄｏｍ ａｃｃｅｓｓ ｃｈａｎｎｅｌ、ＰＲＡＣＨ)が上りリンク物理チャネルとして定義され、上りリンク制御／データ信号のための復調参照信号(ｄｅｍｏｄｕｌａｔｉｏｎ ｒｅｆｅｒｅｎｃｅ ｓｉｇｎａｌ、ＤＭＲＳ)と上りリンクチャネル測定に用いられるサウンディング参照信号(ｓｏｕｎｄｉｎｇ ｒｅｆｅｒｅｎｃｅ ｓｉｇｎａｌ、ＳＲＳ)が定義される。
【００２８】
本発明で、ＰＤＣＣＨ(Ｐｈｙｓｉｃａｌ Ｄｏｗｎｌｉｎｋ Ｃｏｎｔｒｏｌ ＣＨａｎｎｅｌ)／ＰＣＦＩＣＨ(Ｐｈｙｓｉｃａｌ Ｃｏｎｔｒｏｌ Ｆｏｒｍａｔ Ｉｎｄｉｃａｔｏｒ ＣＨａｎｎｅｌ)／ＰＨＩＣＨ(Ｐｈｙｓｉｃａｌ Ｈｙｂｒｉｄ ａｕｔｏｍａｔｉｃ ｒｅｔｒａｎｓｍｉｔ ｒｅｑｕｅｓｔ Ｉｎｄｉｃａｔｏｒ ＣＨａｎｎｅｌ)／ＰＤＳＣＨ(Ｐｈｙｓｉｃａｌ Ｄｏｗｎｌｉｎｋ Ｓｈａｒｅｄ Ｃｈａｎｎｅｌ)はそれぞれ、ＤＣＩ(Ｄｏｗｎｌｉｎｋ Ｃｏｎｔｒｏｌ Ｉｎｆｏｒｍａｔｉｏｎ)／ＣＦＩ(Ｃｏｎｔｒｏｌ Ｆｏｒｍａｔ Ｉｎｄｉｃａｔｏｒ)／下りリンクＡＣＫ／ＮＡＣＫ(ＡＣＫｎｏｗｌｅｇｅｍｅｎｔ／Ｎｅｇａｔｉｖｅ ＡＣＫ)／下りリンクデータを搬送する時間−周波数リソースの集合或いはリソース要素の集合を意味する。また、ＰＵＣＣＨ(Ｐｈｙｓｉｃａｌ Ｕｐｌｉｎｋ Ｃｏｎｔｒｏｌ ＣＨａｎｎｅｌ)／ＰＵＳＣＨ(Ｐｈｙｓｉｃａｌ Ｕｐｌｉｎｋ Ｓｈａｒｅｄ ＣＨａｎｎｅｌ)／ＰＲＡＣＨ(Ｐｈｙｓｉｃａｌ Ｒａｎｄｏｍ Ａｃｃｅｓｓ ＣＨａｎｎｅｌ)はそれぞれ、ＵＣＩ(Ｕｐｌｉｎｋ Ｃｏｎｔｒｏｌ Ｉｎｆｏｒｍａｔｉｏｎ)／上りリンクデータ／ランダムアクセス信号を搬送する時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属した時間−周波数リソース或いはリソース要素(ｒｅｓｏｕｒｃｅ ｅｌｅｍｅｎｔ、ＲＥ)をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下では、ＵＥがＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で／或いはを通じて、上りリンク制御情報／上りリンクデータ／任意接続信号を送信することと同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で／或いはを通じて、下りリンクデータ／制御情報を送信することと同じ意味で使われる。
【００２９】
以下では、ＣＲＳ／ＤＭＲＳ／ＣＳＩ−ＲＳ／ＳＲＳ／ＵＥ−ＲＳが割り当てられた或いは設定された(ｃｏｎｆｉｇｕｒｅｄ)ＯＦＤＭシンボル／副搬送波／ＲＥを、ＣＲＳ／ＤＭＲＳ／ＣＳＩ−ＲＳ／ＳＲＳ／ＵＥ−ＲＳシンボル／搬送波／副搬送波／ＲＥと称する。例えば、トラッキングＲＳ(ｔｒａｃｋｉｎｇ ＲＳ、ＴＲＳ)が割り当てられた或いは設定されたＯＦＤＭシンボルは、ＴＲＳシンボルと称し、ＴＲＳが割り当てられた或いは設定された副搬送波は、ＴＲＳ副搬送波と称し、ＴＲＳが割り当てられた或いは設定されたＲＥはＴＲＳ ＲＥと称する。また、ＴＲＳ送信のために設定された(ｃｏｎｆｉｇｕｒｅｄ)サブフレームを、ＴＲＳサブフレームと称する。また、ブロードキャスト信号が送信されるサブフレームを、ブロードキャストサブフレーム或いはＰＢＣＨサブフレームと称し、同期信号(例えば、ＰＳＳ及び／又はＳＳＳ)が送信されるサブフレームを、同期信号サブフレーム或いはＰＳＳ／ＳＳＳサブフレームと称する。ＰＳＳ／ＳＳＳが割り当てられた或いは設定されたＯＦＤＭシンボル／副搬送波／ＲＥをそれぞれ、ＰＳＳ／ＳＳＳシンボル／副搬送波／ＲＥと称する。
【００３０】
本発明で、ＣＲＳポート、ＵＥ−ＲＳポート、ＣＳＩ−ＲＳポート、ＴＲＳポートとは、それぞれ、ＣＲＳを送信するように設定されたアンテナポート、ＵＥ−ＲＳを送信するように設定されたアンテナポート、ＣＳＩ−ＲＳを送信するように設定されたアンテナポート、ＴＲＳを送信するように設定されたアンテナポートを意味する。ＣＲＳを送信するように設定されたアンテナポートは、ＣＲＳポートによってＣＲＳが占有するＲＥの位置によって相互区別でき、ＵＥ−ＲＳを送信するように設定されたアンテナポートは、ＵＥ−ＲＳポートによってＵＥ−ＲＳが占有するＲＥの位置によって相互区別でき、ＣＳＩ−ＲＳを送信するように設定されたアンテナポートは、ＣＳＩ−ＲＳポートによってＣＳＩ−ＲＳが占有するＲＥの位置によって相互区別できる。従って、ＣＲＳ／ＵＥ−ＲＳ／ＣＳＩ−ＲＳ／ＴＲＳポートという用語が、一定リソース領域内でＣＲＳ／ＵＥ−ＲＳ／ＣＳＩ−ＲＳ／ＴＲＳが占有するＲＥのパターンを意味する用語として用いられることもある。
【００３１】
図１は３ＧＰＰ無線接続網の規格に基づく端末とＥ−ＵＴＲＡＮの間の無線インターフェースプロトコルの制御平面(ｃｏｎｔｒｏｌ ｐｌａｎｅ)及び使用者平面(ｕｓｅｒ ｐｌａｎｅ)の構造を示す図である。制御平面は端末(Ｕｓｅｒ Ｅｑｕｉｐｍｅｎｔ；ＵＥ)とネットワークが信号を管理するために用いる制御メッセージが送信される通路を意味する。使用者平面はアプリケーション階層で生成されたデータ、例えば、音声データ又はインターネットパケットデータなどが送信される通路を意味する。
【００３２】
第１の階層である物理階層は、物理チャネル(Ｐｈｙｓｉｃａｌ Ｃｈａｎｎｅｌ)を用いて上位階層に情報送信サービス(Ｉｎｆｏｒｍａｔｉｏｎ Ｔｒａｎｓｆｅｒ Ｓｅｒｖｉｃｅ)を提供する。物理階層は上位にある媒体接続制御(Ｍｅｄｉｕｍ Ａｃｃｅｓｓ Ｃｏｎｔｒｏｌ)階層とは送信チャネル(Ｔｒａｎｓｐｏｒｔ Ｃｈａｎｎｅｌ)を介して連結される。この送信チャネルを介して媒体接続制御階層と物理階層の間でデータが移動する。送信側と受信側の物理階層の間では物理チャネルを介してデータが移動する。物理チャネルは時間と周波数を無線リソースとして活用する。具体的には、物理チャネルは、下りリンクにおいて、ＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)方式で変調され、上りリンクにおいては、ＳＣ−ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)方式で変調される。
【００３３】
第２の階層である媒体接続制御(Ｍｅｄｉｕｍ Ａｃｃｅｓｓ Ｃｏｎｔｒｏｌ；ＭＡＣ)階層は、論理チャネル(Ｌｏｇｉｃａｌ Ｃｈａｎｎｅｌ)を介して上位階層である無線リンク制御(Ｒａｄｉｏ Ｌｉｎｋ Ｃｏｎｔｒｏｌ；ＲＬＣ)階層にサービスを提供する。第２の階層のＲＬＣ階層は信頼性のあるデータ送信を支援する。ＲＬＣ階層の機能はＭＡＣ内部の機能ブロックにより具現できる。第２の階層のＰＤＣＰ階層は帯域幅が狭い無線インターフェースにおいてＩＰｖ４或いはＩＰｖ６のようなＩＰパケットを効率的に送信するために不要な制御情報を減らすヘッダ圧縮(Ｈｅａｄｅｒ Ｃｏｍｐｒｅｓｓｉｏｎ)の機能を果たす。
【００３４】
第３の階層である最下部に位置する無線リソース制御(Ｒａｄｉｏ Ｒｅｓｏｕｒｃｅ Ｃｏｎｔｒｏｌ；ＲＲＣ)階層は、制御平面でのみ定義される。ＲＲＣ階層は無線ベアラ(Ｒａｄｉｏ Ｂｅａｒｅｒ)の設定(ｃｏｎｆｉｇｕｒａｔｉｏｎ)、再設定(ｒｅ−ｃｏｎｆｉｇｕｒａｔｉｏｎ)及び解除(ｒｅｌｅａｓｅ)に関連して論理チャネル、送信チャネル及び物理チャネルの制御を担当する。無線ベアラは端末とネットワークの間のデータ伝達のために第２の階層により提供されるサービスを意味する。このために、端末とネットワークのＲＲＣ階層は互いにＲＲＣメッセージを交換する。端末とネットワークのＲＲＣ階層の間にＲＲＣ連結(ＲＲＣ Ｃｏｎｎｅｃｔｅｄ)がある場合、端末はＲＲＣ連結状態(Ｃｏｎｎｅｃｔｅｄ Ｍｏｄｅ)であり、そうではない場合はＲＲＣ休止状態(Ｉｄｌｅ Ｍｏｄｅ)である。ＲＲＣ階層の上位にあるＮＡＳ(Ｎｏｎ−Ａｃｃｅｓｓ Ｓｔｒａｔｕｍ)階層は、セッション管理(Ｓｅｓｓｉｏｎ Ｍａｎａｇｅｍｅｎｔ)と移動性管理(Ｍｏｂｉｌｉｔｙ Ｍａｎａｇｅｍｅｎｔ)などの機能を果たす。
【００３５】
ネットワークから端末にデータを送信する下り送信チャネルとしては、システム情報を送信するＢＣＨ(Ｂｒｏａｄｃａｓｔ Ｃｈａｎｎｅｌ)、ページングメッセージを送信するＰＣＨ(Ｐａｇｉｎｇ Ｃｈａｎｎｅｌ)、使用者トラフィックや制御メッセージを送信する下りＳＣＨ(Ｓｈａｒｅｄ Ｃｈａｎｎｅｌ)などがある。下りマルチキャスト又は放送サービスのトラフィック又は制御メッセージの場合、下りＳＣＨを介して送信され、又は特の下りＭＣＨ(Ｍｕｌｔｉｃａｓｔ Ｃｈａｎｎｅｌ)を介して送信されることができる。なお、端末からネットワークにデータを送信する上り送信チャネルとしては、初期制御メッセージを送信するＲＡＣＨ(Ｒａｎｄｏｍ Ａｃｃｅｓｓ Ｃｈａｎｎｅｌ)、使用者トラフィックや制御メッセージを送信する上りＳＣＨ(Ｓｈａｒｅｄ Ｃｈａｎｎｅｌ)がある。送信チャネルの上位にありかつ送信チャネルにマッピングされる論理チャネル(Ｌｏｇｉｃａｌ Ｃｈａｎｎｅｌ)としては、ＢＣＣＨ(Ｂｒｏａｄｃａｓｔ Ｃｏｎｔｒｏｌ Ｃｈａｎｎｅｌ)、ＰＣＣＨ(Ｐａｇｉｎｇ Ｃｏｎｔｒｏｌ Ｃｈａｎｎｅｌ)、ＣＣＣＨ(Ｃｏｍｍｏｎ Ｃｏｎｔｒｏｌ Ｃｈａｎｎｅｌ)、ＭＣＣＨ(Ｍｕｌｔｉｃａｓｔ Ｃｏｎｔｒｏｌ Ｃｈａｎｎｅｌ)、ＭＴＣＨ(Ｍｕｌｔｉｃａｓｔ Ｔｒａｆｆｉｃ Ｃｈａｎｎｅｌ)などがある。
【００３６】
図２は３ＧＰＰシステムに用いられる物理チャネル及びこれらを用いた一般的な信号送信方法を説明する図である。
【００３７】
端末は、電源がオンになったり新たにセルに進入した場合は、基地局と同期を合わせるなどの初期セル探索(Ｉｎｉｔｉａｌ ｃｅｌｌ ｓｅａｒｃｈ)作業を行う(Ｓ２０１)。このために、端末は基地局から主同期チャネル(Ｐｒｉｍａｒｙ Ｓｙｎｃｈｒｏｎｉｚａｔｉｏｎ Ｃｈａｎｎｅｌ；Ｐ−ＳＣＨ)及び副同期チャネル(Ｓｅｃｏｎｄａｒｙ Ｓｙｎｃｈｒｏｎｉｚａｔｉｏｎ Ｃｈａｎｎｅｌ；Ｓ−ＳＣＨ)を受信することによって基地局と同期を合わせ、セルＩＤなどの情報を得ることができる。その後、端末は基地局から物理放送チャネル(Ｐｈｙｓｉｃａｌ Ｂｒｏａｄｃａｓｔ Ｃｈａｎｎｅｌ)を受信してセル内の放送情報を得ることができる。なお、端末は初期セル探索段階において下りリンク参照信号(Ｄｏｗｎｌｉｎｋ Ｒｅｆｅｒｅｎｃｅ Ｓｉｇｎａｌ；ＤＬ ＲＳ)を受信して下りリンクチャネル状態を確認することができる。
【００３８】
初期セル探索を終了した端末は、物理下りリンク制御チャネル(Ｐｈｙｓｉｃａｌ Ｄｏｗｎｌｉｎｋ Ｃｏｎｔｒｏｌ Ｃｈａｎｎｅｌ；ＰＤＣＣＨ)及び該ＰＤＣＣＨに載せられた情報によって物理下りリンク共有チャネル(Ｐｈｙｓｉｃａｌ Ｄｏｗｎｌｉｎｋ Ｃｏｎｔｒｏｌ Ｃｈａｎｎｅｌ；ＰＤＳＣＨ)を受信することによって、より具体的なシステム情報を得ることができる(Ｓ２０２)。
【００３９】
一方、基地局に最初に接続したか或いは信号伝送のための無線リソースがない場合は、端末は、基地局に対して任意接続過程(Ｒａｎｄｏｍ Ａｃｃｅｓｓ Ｐｒｏｃｅｄｕｒｅ；ＲＡＣＨ)を行うことができる(段階Ｓ２０３〜段階Ｓ２０６)。このために、端末は、物理任意接続チャネル(Ｐｈｙｓｉｃａｌ Ｒａｎｄｏｍ Ａｃｃｅｓｓ Ｃｈａｎｎｅｌ；ＰＲＡＣＨ)を介して特定シーケンスをプリアンブルとして伝送し(Ｓ２０３及びＳ２０５)、ＰＤＣＣＨ及び対応するＰＤＳＣＨを介してプリアンブルに対する応答メッセージを受信することができる(Ｓ２０４及びＳ２０６)。競争基盤のＲＡＣＨの場合、さらに衝突解決手順(Ｃｏｎｔｅｎｔｉｏｎ Ｒｅｓｏｌｕｔｉｏｎ Ｐｒｏｃｅｄｕｒｅ)を行うことができる。
【００４０】
上述した手順を行った端末は、その後、一般的な上り／下りリンク信号伝送の手順として、ＰＤＣＣＨ／ＰＤＳＣＨ受信(Ｓ２０７)及び物理上りリンク共有チャネル(Ｐｈｙｓｉｃａｌ Ｕｐｌｉｎｋ Ｓｈａｒｅｄ Ｃｈａｎｎｅｌ；ＰＵＳＣＨ)／物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)の送信(Ｓ２０８)を行う。特に、端末は、ＰＤＣＣＨを介して下りリンク制御情報(Ｄｏｗｎｌｉｎｋ Ｃｏｎｔｒｏｌ Ｉｎｆｏｒｍａｔｉｏｎ；ＤＣＩ)を受信する。ここで、ＤＣＩは、端末に対するリソース割り当て情報などの制御情報を含み、その使用目的に応じてフォーマットが互いに異なる。
【００４１】
一方、端末が上りリンクを通じて基地局に伝送したり、端末が基地局から受信したりする制御情報は、下り／上りリンクＡＣＫ／ＮＡＣＫ信号、ＣＱＩ(Ｃｈａｎｎｅｌ Ｑｕａｌｉｔｙ Ｉｎｄｉｃａｔｏｒ)、ＰＭＩ(Ｐｒｅｃｏｄｉｎｇ Ｍａｔｒｉｘ Ｉｎｄｅｘ)、ＲＩ(Ｒａｎｋ Ｉｎｄｉｃａｔｏｒ)などを含む。３ＧＰＰ ＬＴＥシステムの場合、端末は上述したＣＱＩ／ＰＭＩ／ＲＩなどの制御情報をＰＵＳＣＨ及び／又はＰＵＣＣＨを介して伝送することができる。
【００４２】
図６はＮＲにおいて使用される無線フレームの構造を例示している。
【００４３】
ＮＲにおいて、上りリンク及び下りリンク送信はフレームで構成される。無線フレームは１０ｍｓの長さを有し、２つの５ｍｓハーフフレーム(Ｈａｌｆ−Ｆｒａｍｅ、ＨＦ)と定義される。ハーフフレームは５つの１ｍｓサブフレーム(Ｓｕｂｆｒａｍｅ、ＳＦ)と定義される。サブフレームは１つ以上のスロットに分割され、サブフレーム内のスロット数はＳＣＳ(Ｓｕｂｃａｒｒｉｅｒ Ｓｐａｃｉｎｇ)に依存する。各スロットはＣＰ(ｃｙｃｌｉｃ ｐｒｅｆｉｘ)によって１２つ又は１４つのＯＦＤＭ(Ａ)シンボルを含む。一般ＣＰが使用される場合、各スロットは１４つのシンボルを含む。拡張ＣＰが使用される場合は、各スロットは１２つのシンボルを含む。ここで、シンボルはＯＦＤＭシンボル(或いは、ＣＰ−ＯＦＤＭシンボル)、ＳＣ−ＦＤＭＡシンボル(或いは、ＤＦＴ−ｓ−ＯＦＤＭシンボル)を含むことができる。
【００４４】
表１は一般ＣＰが使用される場合、ＳＣＳによってスロットごとのシンボル数、フレームごとのスロット数とサブフレームごとのスロット数が変化することを例示している。
【００４５】
【表１】
2020522903.tif 000003
【００４６】
＊Ｎslotsymb:スロット内のシンボル数、＊Ｎframe,uslot:フレーム内のスロット数
【００４７】
＊Ｎsubframe,uslot:サブフレーム内のスロット数
【００４８】
表２は拡張ＣＰが使用される場合、ＳＣＳによってスロットごとのシンボル数、フレームごとのスロット数とサブフレームごとのスロット数が変化することを例示している。
【００４９】
【表２】
2020522903.tif 000004
【００５０】
ＮＲシステムでは１つの端末に併合される複数のセル間でＯＦＤＭ(Ａ)ニューマロロジー(ｎｕｍｅｒｏｌｏｇｙ)(例えば、ＳＣＳ、ＣＰ長さなど)が異なるように設定されることができる。これにより、同じ数のシンボルで構成された時間リソース(例えば、ＳＦ、スロット又はＴＴＩ)(便宜上、ＴＵ(Ｔｉｍｅ Ｕｎｉｔ)と通称)の(絶対時間)区間が併合されたセル間で異なるように設定されることができる。
【００５１】
図４はＮＲフレームのスロット構造を例示している。スロットは時間ドメインで複数のシンボルを含む。例えば、一般ＣＰの場合、１つのスロットが７つのシンボルを含むが、拡張ＣＰの場合は、１つのスロットが６つのシンボルを含む。搬送波は周波数ドメインで複数の副搬送波を含む。ＲＢ(Ｒｅｓｏｕｒｃｅ Ｂｌｏｃｋ)は周波数ドメインで複数(例えば、１２)の連続する副搬送波と定義される。ＢＷＰは周波数ドメインで複数の連続する(Ｐ)ＲＢと定義され、１つのニューマロロジー(ｎｕｍｅｒｏｌｏｇｙ)(例えば、ＳＣＳ、ＣＰ長さなど)に対応することができる。搬送波は最大Ｎ個(例えば、５つ)のＢＷＰを含む。データ通信は活性化されたＢＷＰで行われ、１つの端末には１つのＢＷＰのみが活性化される。リソースグリッドにおいて各々の要素はリソース要素(Ｒｅｓｏｕｒｃｅ Ｅｌｅｍｅｎｔ、ＲＥ)と称され、１つの複素シンボルがマッピングされることができる。
【００５２】
図５は自己完結(Ｓｅｌｆ−ｃｏｎｔａｉｎｅｄ)スロットの構造を例示している。ＮＲシステムにおいて、フレームは１つのスロット内にＤＬ制御チャネル、ＤＬ又はＵＬデータ、ＵＬ制御チャネルなどを全て含むことができる自己完結構造を特徴とする。例えば、スロット内の最初のＮ個のシンボルは、ＤＬ制御チャネルを送信する時に使用され(以下、ＤＬ制御領域)、スロット内の最後のＭ個のシンボルはＵＬ制御チャネルを送信する時に使用される(以下、ＵＬ制御領域)。ＮとＭは各々０以上の整数である。ＤＬ制御領域とＵＬ制御領域の間におけるリソース領域(以下、データ領域)は、ＤＬデータ送信のために使用されるか、又はＵＬデータ送信のために使用される。一例として、以下の構成を考慮できる。各区間は時間順である。
【００５３】
１．ＤＬのみの構成
【００５４】
２．ＵＬのみの構成
【００５５】
３．混合ＵＬ−ＤＬの構成
【００５６】
−ＤＬ領域＋ＧＰ(Ｇｕａｒｄ Ｐｅｒｉｏｄ)＋ＵＬ制御領域
【００５７】
−ＤＬ制御領域＋ＧＰ＋ＵＬ領域
【００５８】
＊ＤＬ領域:(i)ＤＬデータ領域、(ii)ＤＬ制御領域＋ＤＬデータ領域
【００５９】
＊ＵＬ領域:(i)ＵＬデータ領域、(ii)ＵＬデータ領域＋ＵＬ制御領域
【００６０】
ＤＬ制御領域ではＰＤＣＣＨが送信され、ＤＬデータ領域ではＰＤＳＣＨが送信されることができる。ＵＬ制御領域ではＰＵＣＣＨが送信され、ＵＬデータ領域ではＰＵＳＣＨが送信されることができる。ＰＤＣＣＨではＤＣＩ(Ｄｏｗｎｌｉｎｋ Ｃｏｎｔｒｏｌ Ｉｎｆｏｒｍａｔｉｏｎ)、例えば、ＤＬデータスケジューリング情報、ＵＬデータスケジューリング情報などが送信される。ＰＵＣＣＨではＵＣＩ(Ｕｐｌｉｎｋ Ｃｏｎｔｒｏｌ Ｉｎｆｏｒｍａｔｉｏｎ)、例えば、ＤＬデータに対するＡＣＫ／ＮＡＣＫ(Ｐｏｓｉｔｉｖｅ Ａｃｋｎｏｗｌｅｄｇｅｍｅｎｔ／Ｎｅｇａｔｉｖｅ Ａｃｋｎｏｗｌｅｄｇｅｍｅｎｔ)情報、ＣＳＩ(Ｃｈａｎｎｅｌ Ｓｔａｔｅ Ｉｎｆｏｒｍａｔｉｏｎ)情報、ＳＲ(Ｓｃｈｅｄｕｌｉｎｇ Ｒｅｑｕｅｓｔ)などが送信される。ＧＰは基地局と端末が送信モードから受信モードに転換する過程又は受信モードから送信モードに転換する過程で時間ギャップを提供する。サブフレーム内でＤＬからＵＬに転換する時点の一部のシンボルがＧＰとして設定されることができる。
【００６１】
下りリンクチャネル構造
【００６２】
基地局は後述する下りリンクチャネルを介して関連信号を端末に送信し、端末は後述する下りリンクチャネルを介して関連信号を基地局から受信する。
【００６３】
(１)物理下りリンク共有チャネル(ＰＤＳＣＨ)
【００６４】
ＰＤＳＣＨは下りリンクデータ(例えば、ＤＬ−ｓｈａｒｅｄ ｃｈａｎｎｅｌ ｔｒａｎｓｐｏｒｔ ｂａｃｋ、ＤＬ−ＳＣＨ ＴＢ)を運搬し、ＱＰＳＫ(Ｑｕａｄｒａｔｕｒｅ Ｐｈａｓｅ Ｓｈｉｆｔ Ｋｅｙｉｎｇ)、１６ＱＡＭ(Ｑｕａｄｒａｔｕｒｅ Ａｍｐｌｉｔｕｄｅ Ｍｏｄｕｌａｔｉｏｎ)、６４ＱＡＭ、２５６ＱＡＭなどの変調方法が適用される。ＴＢを符号化してコードワード(ｃｏｄｅｗｏｒｄ)が生成される。ＰＤＳＣＨは最大２つのコードワードを運ぶことができる。コードワードごとにスクランブル(ｓｃｒａｍｂｌｉｎｇ)及び変調マッピング(ｍｏｄｕｌａｔｉｏｎ ｍａｐｐｉｎｇ)が行われ、各コードワードから生成された変調シンボルは１つ以上のレイヤにマッピングされる(ｌａｙｅｒ ｍａｐｐｉｎｇ)。各レイヤはＤＭＲＳ(Ｄｅｍｏｄｕｌａｔｉｏｎ Ｒｅｆｅｒｅｎｃｅ Ｓｉｇｎａｌ)と共にリソースにマッピングされてＯＦＤＭシンボル信号に生成され、該当アンテナポートを介して送信される。
【００６５】
(２)物理下りリンク制御チャネル(ＰＤＣＣＨ)
【００６６】
ＰＤＣＣＨは下りリンク制御情報(ＤＣＩ)を運搬し、ＱＰＳＫ変調方法が適用される。１つのＰＤＣＣＨはＡＬ(Ａｇｇｒｅｇａｔｉｏｎ Ｌｅｖｅｌ)によって１，２，４，８，１６個のＣＣＥ(Ｃｏｎｔｒｏｌ Ｃｈａｎｎｅｌ Ｅｌｅｍｅｎｔ)で構成される。１つのＣＣＥは６つのＲＥＧ(Ｒｅｓｏｕｒｃｅ Ｅｌｅｍｅｎｔ Ｇｒｏｕｐ)で構成される。１つのＲＥＧは１つのＯＦＤＭシンボルと１つの(Ｐ)ＲＢで定義される。
【００６７】
図６は１つのＲＥＧ構造を例示する。図６において、ＤはＤＣＩがマッピングされるリソース要素(ＲＥ)を示し、ＲはＤＭＲＳがマッピングされるＲＥを示す。ＤＭＲＳは１つのシンボル内の周波数ドメイン方向に、ＲＥ＃１、ＲＥ＃５及びＲＥ＃９にマッピングされる。
【００６８】
ＰＤＣＣＨは制御リソースセット(Ｃｏｎｔｒｏｌ Ｒｅｓｏｕｒｃｅ Ｓｅｔ、ＣＯＲＥＳＥＴ)により送信される。ＣＯＲＥＳＥＴは与えられたニューマロロジー(例えば、ＳＣＳ、ＣＰ長さなど)を有するＲＥＧセットで定義される。１つの端末のための複数のＯＣＲＥＳＥＴは、時間／周波数ドメインで重畳することもできる。ＣＯＲＥＳＥＴはシステム情報(例えば、ＭＩＢ)又は端末−特定(ＵＥ−ｓｐｅｃｉｆｉｃ)の上位階層(例えば、ｒａｄｉｏ Ｒｅｓｏｕｒｃｅ ｃｏｎｔｒｏｌ、ＲＲＣ、ｌａｙｅｒ)シグナリングにより設定される。具体的には、ＣＯＲＥＳＥＴを構成するＲＢの数及びシンボルの数(最大３つ)が上位階層シグナリングにより設定される。
【００６９】
各ＣＯＲＥＳＥＴのための周波数ドメイン内のプリコーディング粒度(ｐｒｅｃｏｄｅｒ ｇｒａｎｕｌａｒｉｔｙ)は上位階層シグナリングにより以下のうちのいずれか１つに設定される：
【００７０】
−ｓａｍｅＡｓＲＥＧ−ｂｕｎｄｌｅ：周波数ドメイン内のＲＥＧバンドルのサイズと同一である。
【００７１】
−ａｌｌＣｏｎｔｉｇｕｏｕｓＲＢｓ：ＣＯＲＥＳＥＴ内の周波数ドメイン内に連続するＲＢの数と同一である。
【００７２】
ＣＯＲＥＳＥＴ内のＲＥＧは、時間−優先マッピング方式(ｔｉｍｅ−ｆｉｒｓｔ ｍａｐｐｉｎｇ ｍａｎｎｅｒ)に基づいて番号付けされる。即ち、ＲＥＧはＣＯＲＥＳＥＴ内において最低の番号に番号付けされたリソースブロック内の１番目のＯＦＤＭシンボルから開始して、０から順に番号付けされる。
【００７３】
ＣＣＥにおいて、ＲＥＧへのマッピングタイプは、非−インターリーブされたＣＣＥ−ＲＥＧマッピングタイプ又はインターリーブされたＣＣＥ−ＲＥＧマッピングタイプのうちの１つに設定される。図１０(ａ)は非−インターリーブされたＣＣＥ−ＲＥＧマッピングタイプを、図１０(ｂ)はインターリーブされたＣＣＥ−ＲＥＧマッピングタイプを例示する。
【００７４】
−非−インターリーブされた(ｎｏｎ−ｉｎｔｅｒｌｅａｖｅｄ)ＣＣＥ−ＲＥＧマッピングタイプ(又はｌｏｃａｌｉｚｅｄマッピングタイプ)：与えられたＣＣＥのための６ＲＥＧは１つのＲＥＧバンドルを構成し、与えられたＣＣＥのための全てのＲＥＧは連続する。１つのＲＥＧバンドルは１つのＣＣＥに対応する。
【００７５】
−インターリーブされた(ｉｎｔｅｒｌｅａｖｅｄ)ＣＣＥ−ＲＥＧマッピングタイプ(又はＤｉｓｔｒｉｂｕｔｅｄマッピングタイプ)：与えられたＣＣＥのための２，３又は６ＲＥＧは１つのＲＥＧバンドルを構成し、ＲＥＧバンドルはＣＯＲＥＳＥＴ内でインターリーブされる。１つのＯＦＤＭシンボル又は２つのＯＦＤＭシンボルで構成されたＣＯＲＥＳＥＴ内のＲＥＧバンドルは２又は６のＲＥＧで構成され、３つのＯＦＤＭシンボルで構成されたＣＯＲＥＳＥＴ内のＲＥＧバンドルは３又は６ＲＥＧで構成される。ＲＥＧバンドルのサイズはＣＯＲＥＳＥＴごとに設定される。
【００７６】
図７はブロックインターリーバを例示する。上記のようなインターリーブ動作のための(ブロック)インターリーバの行(ｒｏｗ)の数(Ａ)は２，３，６のうちの１つに設定される。与えられたＣＯＲＥＳＥＴのためのインターリービング単位(ｉｎｔｅｒｌｅａｖｉｎｇ ｕｎｉｔ)の数がＰである場合、ブロックインターリーバの列(ｃｏｌｕｍｎ)の数はＰ／Ａである。ブロックインターリーバに対する書き込み(ｗｒｉｔｅ)動作は、図８のように行−優先(ｒｏｗ−ｆｉｒｓｔ)方向に行われ、読み取り(ｒｅａｄ)動作は、列−優先(ｃｏｌｕｍｎ−ｆｉｒｓｔ)方向に行われる。インターリービング単位の循環シフト(ＣＳ)は、ＤＭＲＳのために設定可能なＩＤと独立して設定可能なｉｄに基づいて適用される。
【００７７】
端末はＰＤＣＣＨ候補のセットに対する復号(所謂、ブラインド復号)を行ってＰＤＣＣＨを介して送信されるＤＣＩを得る。端末が復号するＰＤＣＣＨ候補のセットをＰＤＣＣＨ検索空間(Ｓｅａｒｃｈ Ｓｐａｃｅ)セットと定義する。検索空間セットは共通検索空間(ｃｏｍｍｏｎ ｓｅａｒｃｈ ｓｐａｃｅ)又は端末−特定検索空間(ＵＥ−ｓｐｅｃｉｆｉｃ ｓｅａｒｃｈ ｓｐａｃｅ)であることができる。端末はＭＩＢ又は上位階層シグナリングにより設定された１つ以上の検索空間セット内のＰＤＣＣＨ候補をモニタリングしてＤＣＩを得ることができる。各ＣＯＲＥＳＥＴ設定は１つ以上の検索空間セットに連関し(ａｓｓｏｃｉａｔｅｄ ｗｉｔｈ)、各検索空間セットは１つのＣＯＲＥＳＴ設定に連関する。１つの検索空間セットは以下のパラメータに基づいて決定される。
【００７８】
−ｃｏｎｔｒｏｌＲｅｓｏｕｒｃｅＳｅｔＩｄ：検索空間セットに関連する制御リソースセットを示す。
【００７９】
−ｍｏｎｉｔｏｒｉｎｇＳｌｏｔＰｅｒｉｏｄｉｃｉｔｙＡｎｄＯｆｆｓｅｔ：ＰＤＣＣＨモニタリング周期区間(スロット単位)及びＰＤＣＣＨモニタリング区間オフセット(スロット単位)を示す。
【００８０】
−ｍｏｎｉｔｏｒｉｎｇＳｙｍｂｏｌｓＷｉｔｈｉｎＳｌｏｔ：ＰＤＣＣＨモニタリングのためのスロット内のＰＤＣＣＨモニタリングパターンを示す(例えば、制御リソースセットの１番目のシンボルを示す)。
【００８１】
−ｎｒｏｆＣａｎｄｉｄａｔｅｓ：ＡＬ＝[１、２、４、８、１６]ごとのＰＤＣＣＨ候補の数(０、１、２、３、４、５、６、８のうちの１つ)を示す。
【００８２】
表３は検索空間タイプごとの特徴を例示する。
【００８３】
【表３】
2020522903.tif 000005
【００８４】
表４はＰＤＣＣＨを介して送信されるＤＣＩフォーマットを例示する。
【００８５】
【表４】
2020522903.tif 000006
【００８６】
ＤＣＩ ｆｏｒｍａｔ ０_０はＴＢ−基盤(又はＴＢ−ｌｅｖｅｌ)のＰＵＳＣＨをスケジューリングするために使用され、ＤＣＩ ｆｏｒｍａｔ ０_１はＴＢ−基盤(又はＴＢ−ｌｅｖｅｌ)のＰＵＳＣＨ又はＣＢＧ(Ｃｏｄｅ Ｂｌｏｃｋ Ｇｒｏｕｐ)−基盤(又はＣＢＧ−ｌｅｖｅｌ)のＰＵＳＣＨをスケジューリングするために使用される。ＤＣＩ ｆｏｒｍａｔ １_０はＴＢ−基盤(又はＴＢ−ｌｅｖｅｌ)のＰＤＳＣＨをスケジューリングするために使用され、ＤＣＩ ｆｏｒｍａｔ １_１はＴＢ−基盤(又はＴＢ−ｌｅｖｅｌ)のＰＤＳＣＨ又はＣＢＧ−基盤(又はＣＢＧ−ｌｅｖｅｌ)のＰＤＳＣＨをスケジューリングするために使用される。ＤＣＩ ｆｏｒｍａｔ ２_０は動的スロットフォーマット情報(例えば、ｄｙｎａｍｉｃ ＳＦＩ)を端末に伝達するために使用され、ＤＣＩ ｆｏｒｍａｔ ２_１は下りリンク先制(ｐｒｅ−Ｅｍｐｔｉｏｎ)情報を端末に伝達するために使用される。ＤＣＩ ｆｏｒｍａｔ ２_０及び／又はＤＣＩ ｆｏｒｍａｔ ２_１は１つのグループで定義された端末に伝達されるＰＤＣＣＨであるグループ共通ＰＤＣＣＨ(Ｇｒｏｕｐ Ｃｏｍｍｏｎ ＰＤＣＣＨ)を介して該当グループ内の端末に伝達される。
【００８７】
上りリンクチャネル構造
【００８８】
端末は後述する上りリンクチャネルを介して関連信号を基地局に送信し、基地局は後述する上りリンクチャネルを介して関連信号を端末から受信する。
【００８９】
(１)物理上りリンク共有チャネル(ＰＵＳＣＨ)
【００９０】
ＰＵＳＣＨは上りリンクデータ(例えば、ＵＬ−ｓｈａｒｅｄ ｃｈａｎｎｅｌ ｔｒａｎｓｐｏｒｔ ｂｌｏｃｋ、ＵＬ−ＳＣＨ ＴＢ)及び／又は上りリンク制御情報(ＵＣＩ)を運び、ＣＰ−ＯＦＤＭ(Ｃｙｃｌｉｃ Ｐｒｅｆｉｘ−Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)波形又はＤＦＴ−ｓ−ＯＦＤＭ(Ｄｉｓｃｒｅｔｅ Ｆｏｕｒｉｅｒ Ｔｒａｎｓｆｏｒｍ−ｓｐｒｅａｄ−Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)波形に基づいて送信される。ＰＵＳＣＨがＤＦＴ−ｓ−ＯＦＤＭ波形に基づいて送信される場合、端末は変換プリコーディング(ｔｒａｎｓｆｏｒｍ ｐｒｅｃｏｄｉｎｇ)を適用してＰＵＳＣＨを送信する。一例として、変換プリコーディングが不可能な場合(例えば、ｔｒａｎｓｆｏｒｍ ｐｒｅｃｏｄｉｎｇ ｉｓ ｄｉｓａｂｌｅｄ)、端末はＣＰ−ＯＦＤＭ波形に基づいてＰＵＳＣＨを送信し、変換プリコーディングが可能な場合は(例えば、ｔｒａｎｓｆｏｒｍ ｐｒｅｃｏｄｉｎｇ ｉｓ ｅｎａｂｌｅｄ)、端末はＣＰ−ＯＦＤＭ波形又はＤＦＴ−ｓ−ＯＦＤＭ波形に基づいてＰＵＳＣＨを送信する。ＰＵＳＣＨ送信はＤＣＩ内のＵＬグラントにより動的にスケジューリングされるか、又は上位階層(例えば、ＲＲＣ)シグナリング(及び／又はＬａｙｅｒ １(Ｌ１)シグナリング(例えば、ＰＤＣＣＨ))に基づいて準−静的(Ｓｅｍｉ−ｓｔａｔｉｃ)にスケジューリングされる(ｃｏｎｆｉｇｕｒｅｄ ｇｒａｎｔ)。ＰＵＳＣＨ送信はコードブック基盤又は非−コードブック基盤に行われる。
【００９１】
(２)物理上りリンク制御チャネル(ＰＵＣＣＨ)
【００９２】
ＰＵＣＣＨは上りリンク制御情報、ＨＡＲＱ−ＡＣＫ及び／又はスケジューリング要請(ＳＲ)を運び、ＰＵＣＣＨ送信長さによってＳｈｏｒｔ ＰＵＣＣＨ及びＬｏｎｇ ＰＵＣＣＨに区分される。表５はＰＵＣＣＨフォーマットを例示する。
【００９３】
【表５】
2020522903.tif 000007
【００９４】
ＰＵＣＣＨ ｆｏｒｍａｔ ０は最大２ビットサイズのＵＣＩを運び、シーケンスに基づいてマッピングされて送信される。具体的には、端末は複数のシーケンスのうちの１つのシーケンスをＰＵＣＣＨ ｆｏｒｍａｔ ０であるＰＵＣＣＨを介して送信して特定のＵＣＩを基地局に送信する。端末は肯定(ｐｏｓｉｔｉｖｅ)のＳＲを送信する場合にのみ対応するＳＲ設定のためのＰＵＣＣＨリソース内でＰＵＣＣＨ ｆｏｒｍａｔ ０であるＰＵＣＣＨを送信する。
【００９５】
ＰＵＣＣＨ ｆｏｒｍａｔ １は最大２ビットサイズのＵＣＩを運び、変調シンボルは時間領域において(周波数ホッピング有無によって変更設定される)直交カバーコード(ＯＣＣ)により拡散される。ＤＭＲＳは変調シンボルが送信されないシンボルで送信される(即ち、ＴＤＭ(Ｔｉｍｅ Ｄｉｖｉｓｉｏｎ Ｍｕｌｔｉｐｌｅｘｉｎｇ)されて送信される)。
【００９６】
ＰＵＣＣＨ ｆｏｒｍａｔ ２は２ビットより大きいビットサイズのＵＣＩを運搬し、変調シンボルはＤＭＲＳとＦＤＭ(Ｆｒｅｑｕｅｎｃｙ Ｄｉｖｉｓｉｏｎ Ｍｕｌｔｉｐｌｅｘｉｎｇ)されて送信される。ＤＭ−ＲＳは１／３の密度に与えられたリソースブロック内のシンボルインデックス＃１、＃４、＃７及び＃１０に位置する。ＰＮ(Ｐｓｅｕｄｏ Ｎｏｉｓｅ)シーケンスがＤＭ_ＲＳシーケンスのために使用される。２シンボルＰＵＣＣＨ ｆｏｒｍａｔ ２のために周波数ホッピングが活性化されることができる。
【００９７】
ＰＵＣＣＨ ｆｏｒｍａｔ ３は同一の物理リソースブロック内の端末が多重化されず、２ビットより大きいビットサイズのＵＣＩを運ぶ。言い換えれば、ＰＵＣＣＨ ｆｏｒｍａｔ ３のＰＵＣＣＨリソースは直交カバーコードを含まない。変調シンボルはＤＭＲＳとＴＤＭ(Ｔｉｍｅ Ｄｉｖｉｓｉｏｎ Ｍｕｌｔｉｐｌｅｘｉｎｇ)されて送信される。
【００９８】
ＰＵＣＣＨ ｆｏｒｍａｔ ４は同一の物理リソースブロック内に最大４つの端末まで多重化が支援され、２ビットより大きいビットサイズのＵＣＩを運ぶ。言い換えれば、ＰＵＣＣＨ ｆｏｒｍａｔ ３のＰＵＣＣＨリソースは直交カバーコードを含む。変調シンボルはＤＭＲＳとＴＤＭ(Ｔｉｍｅ Ｄｉｖｉｓｉｏｎ Ｍｕｌｔｉｐｌｅｘｉｎｇ)されて送信される。
【００９９】
Ｓｈｏｒｔ ＰＵＣＣＨ及びＬｏｎｇ ＰＵＣＣＨの多重化
【０１００】
図９はＳｈｏｒｔ ＰＵＣＣＨ及びＬｏｎｇ ＰＵＣＣＨが上りリンク信号と多重化される構成を示す。
【０１０１】
ＰＵＣＣＨ(例えば、ＰＵＣＣＨ ｆｏｒｍａｔ ０／２)とＰＵＳＣＨはＴＤＭ又はＦＤＭ方式で多重化される。互いに異なる端末からのＳｈｏｒｔ ＰＵＣＣＨとＬｏｎｇ ＰＵＣＣＨはＴＤＭ又はＦＤＭ方式で多重化される。１つのスロット内の単一端末からのＳｈｏｒｔ ＰＵＣＣＨはＴＤＭ方式で多重化される。１つのスロット内の単一端末からのＳｈｏｒｔ ＰＵＣＣＨとＬｏｎｇ ＰＵＣＣＨはＴＤＭ又はＦＤＭ方式で多重化されることができる。
【０１０２】
帯域幅パート(Ｂａｎｄｗｉｄｔｈ ｐａｒｔ、ＢＷＰ)
【０１０３】
ＮＲシステムにおいては、１つの搬送波当たり最大４００ＭＨｚまで支援される。かかる広帯域(ｗｉｄｅｂａｎｄ)の搬送波で動作するＵＥが常に搬送波全体に対する無線周波数(ｒａｄｉｏ ｆｒｅｑｕｅｎｃｙ、ＲＦ)モジュールをオンにしたまま動作すると、ＵＥバッテリー消耗が大きくなる。或いは１つの広帯域の搬送波内で動作するいくつの使用例(ｕｓｅ ｃａｓｅ)(ｅ．ｇ.、ｅＭＢＢ、ＵＲＬＬＣ、ｍＭＴＣ、Ｖ２Ｘなど)を考慮する時、該当搬送波内に周波数帯域ごとに互いに異なるニューマロロジー(例えば、副搬送波間隔)が支援されることができる。或いはＵＥごとに最大帯域幅に対する能力(ｃａｐａｂｉｌｉｔｙ)が異なることができる。これを考慮して、基地局は広帯域搬送波の全体帯域幅ではない一部の帯域幅でのみ動作するようにＵＥに指示することができ、該当一部の帯域幅を帯域幅パート(ｂａｎｄｗｉｄｔｈ ｐａｒｔ、ＢＷＰ)と呼ぶ。周波数ドメインでＢＷＰは搬送波上の帯域幅パートｉ内のニューマロロジーμiに対して定義された隣接する(ｃｏｎｔｉｇｕｏｕｓ)共通リソースブロックのサブセットであり、１つのニューマロロジー(例えば、副搬送波間隔、ＣＰ長さ、スロット／ミニ−スロット持続時間)が設定されることができる。
【０１０４】
また、基地局はＵＥに設定された１つの搬送波内に１つ以上のＢＷＰを設定することができる。或いは特定のＢＷＰにＵＥが集中する場合は、負荷バランス(ｌｏａｄ ｂａｌａｎｃｉｎｇ)のために一部のＵＥを他のＢＷＰに運ぶことができる。又は隣接セルの間の周波数ドメインのインタ−セル干渉解除(ｆｒｅｑｕｅｎｃｙ ｄｏｍａｉｎ ｉｎｔｅｒ−ｃｅｌｌ ｉｎｔｅｒｆｅｒｅｎｃｅ ｃａｎｃｅｌｌａｔｉｏｎ)などを考慮して、全体帯域幅のうち、中央の一部のスペクトルを排除し、セルの両側のＢＷＰを同じスロット内に設定することができる。即ち、基地局は広帯域の搬送波に連関するＵＥに少なくとも１つのＤＬ／ＵＬ ＢＷＰを設定することができ、特定の時点に設定されたＤＬ／ＵＬ ＢＷＰのうち、少なくとも１つのＤＬ／ＵＬ ＢＷＰを(物理階層制御信号であるＬ１シグナリング、ＭＡＣ階層制御信号であるＭＡＣ制御要素(ｃｏｎｔｒｏｌ ｅｌｅｍｅｎｔ、ＣＥ)、又はＲＲＣシグナリングなどにより)活性化することができ、他の設定されたＤＬ／ＵＬ ＢＷＰにスイッチングすることを(Ｌ１シグナリング、ＭＡＣ ＣＥ又はＲＲＣシグナリングなどにより)指示するか、タイマー値を設定してタイマーが満了すると、ＵＥが決められたＤＬ／ＵＬ ＢＷＰにスイッチングされるようにすることができる。この時、他の設定されたＤＬ／ＵＬ ＢＷＰにスイッチングすることを指示するために、ＤＣＩ ｆｏｒｍａｔ １_１又はＤＣＩ ｆｏｒｍａｔ ０_１を使用することができる。活性化されたＤＬ／ＵＬ ＢＷＰを特に活性ＤＬ／ＵＬ ＢＷＰという。ＵＥが初期接続過程であるか、或いはＵＥのＲＲＣ連結がセットアップされる前などの状況では、ＵＥがＤＬ／ＵＬ ＢＷＰに対する設定を受信できないこともできる。かかる状況でＵＥが仮定するＤＬ／ＵＬ ＢＷＰを初期活性ＤＬ／ＵＬ ＢＷＰという。
【０１０５】
ここで、ＤＬ ＢＷＰはＰＤＣＣＨ及び／又はＰＤＳＣＨなどのような下りリンク信号を送受信するためのＢＷＰであり、ＵＬ ＢＷＰはＰＵＣＣＨ及び／又はＰＵＳＣＨなどのような上りリンク信号を送受信するためのＢＷＰである。
【０１０６】
周波数リソース割り当て(ＰＤＳＣＨ Ｒｅｓｏｕｒｃｅ Ａｌｌｏｃａｔｉｏｎ ｉｎ Ｆｒｅｑｕｅｎｃｙ Ｄｏｍａｉｎ)
【０１０７】
なお、ＰＤＳＣＨ／ＰＵＳＣＨのためのリソース割り当て方法(Ｄｏｗｎｌｉｎｋ Ｒｅｓｏｕｒｃｅ Ａｌｌｏｃａｔｉｏｎ Ｓｃｈｅｍｅ)には、タイプ０とタイプ１の２つの方法がある。端末はＤＣＩ ｆｏｒｍａｔ ０_０／１_０によりスケジューリング情報を受信すると、リソース割り当てタイプ１が使用されていると仮定する。
【０１０８】
もし、上位階層パラメータである'ｒｅｓｏｕｒｃｅＡｌｌｏｃａｔｉｏｎ'が'ｄｙｎａｍｉｃｓｗｉｔｃｈ'に設定されてＤＣＩ内のＦｒｅｑｕｅｎｃｙ ｄｏｍａｉｎ ｒｅｓｏｕｒｃｅ ａｓｓｉｇｎｍｅｎｔフィールドの一部がリソース割り当てタイプを指示するように設定されると、端末はＤＣＩフィールドによってタイプ０又はタイプ１のリソース割り当て方法を使用する。そうではないと、端末は上位階層パラメータである'ｒｅｓｏｕｒｃｅＡｌｌｏｃａｔｉｏｎ'の値によってタイプ０又はタイプ１のリソース割り当て方法を使用する。
【０１０９】
ここで、タイプ０のリソース割り当て方法を使用する場合、ＤＣＩに含まれたリソース割り当てフィールドはビットマップ情報を含む。この時、ビットマップ情報は端末に割り当てられるリソースブロックグループ(Ｒｅｓｏｕｒｃｅ Ｂｌｏｃｋ Ｇｒｏｕｐｓ；ＲＢＧｓ)に関する。ここで、ＲＢＧは連続するＲＢの集合を意味する。
【０１１０】
反面、タイプ１のリソース割り当てを使用する場合、ＤＣＩに含まれたリソース割り当てフィールドはリソース指示値(Ｒｅｓｏｕｒｃｅ Ｉｎｄｉｃａｔｉｏｎ Ｖａｌｕｅ;ＲＩＶ)で構成される。この時、ＲＩＶにより割り当てられるＲＢの開始リソースブロック(Ｓｔａｒｔｉｎｇ ｒｅｓｏｕｒｃｅ ｂｌｏｃｋ)と連続して割り当てられたＲＢの長さを導き出すことができる。
【０１１１】
ＢＷＰスイッチングを支持するＤＣＩが新しいＢＷＰで要求するＤＣＩフィールドサイズ(ｆｉｅｌｄ ｓｉｚｅ)を満たせず、スケジューリング制限(Ｓｃｈｅｄｕｌｉｎｇ ｒｅｓｔｒｉｃｔｉｏｎ)が発生することができる。また、ＤＣＩ許容サイズ(Ｓｉｚｅ ｂｕｄｇｅｔ)及び／又はＤＣＩサイズ整列(ＤＣＩ ｓｉｚｅ ａｌｉｇｎｍｅｎｔ)などにより、実際ＰＤＳＣＨ又はＰＵＳＣＨが送信される領域に比べて、これを指示するためのＤＣＩフィールドサイズ(ｆｉｅｌｄ ｓｉｚｅ)が小さいことができる。例えば、ＤＣＩのサイズが共通検索空間(Ｃｏｍｍｏｎ Ｓｅａｒｃｈ Ｓｐａｃｅ)及び／又は初期ＢＷＰに基づいて決定されたが、実際ＤＣＩがＵＥ特定検索空間(ＵＥ ｓｐｅｃｉｆｉｃ Ｓｅａｒｃｈ Ｓｐａｃｅ)を介して送信及び／又は初期ＢＷＰ以外の活性ＢＷＰに適用される場合、(即ち、共通検索空間及び／又は初期ＢＷＰでのＤＣＩサイズに基づいてＵＥ特定の検索空間(ＵＥ ｓｐｅｃｉｆｉｃ Ｓｅａｒｃｈ Ｓｐａｃｅ)を介して送信及び／又は初期ＢＷＰ以外の活性ＢＷＰで送信されるＤＣＩサイズが決定される場合)、活性ＢＷＰで送信されるＰＤＳＣＨ又はＰＵＳＣＨのためのリソース割り当てを十分に指示するにはＤＣＩのサイズが足りないことができる。
【０１１２】
これにより、ＰＤＳＣＨ又はＰＵＳＣＨに対するリソース割り当て(ｒｅｓｏｕｒｃｅ ａｌｌｏｃａｔｉｏｎ)に対するスケジューリング制限(Ｓｃｈｅｄｕｌｉｎｇ ｒｅｓｔｒｉｃｔｉｏｎ)が発生することができる。従って、本発明では上述した状況でＤＣＩ内のリソース割り当てフィールド(ｒｅｓｏｕｒｃｅ ａｌｌｏｃａｔｉｏｎ ｆｉｅｌｄ)を解釈する方法を提案する。本発明の実施例では、説明の便宜上、ＲＩＶ(ｒｅｓｏｕｒｃｅ ｉｎｄｉｃａｔｏｒ ｖａｌｕｅ)に基づくリソース割り当てフィールド(ｒｅｓｏｕｒｃｅ ａｌｌｏｃａｔｉｏｎ ｆｉｅｌｄ)解釈方法について記載する。しかし、他のリソース割り当てタイプ(ｒｅｓｏｕｒｃｅ ａｌｌｏｃａｔｉｏｎ ｔｙｐｅ)やリソース割り当てフィールド以外の他のＤＣＩフィールドにも本発明の思想が拡張／適用されることができる。
【０１１３】
図１０乃至図１２は本発明による端末、基地局及びネットワークの動作過程を説明する図である。
【０１１４】
図１０を参照すると、本発明による端末はＰＤＳＣＨ又はＰＵＳＣＨをスケジューリングするためのＤＣＩを受信することができる(Ｓ１００１)。例えば、ＤＣＩはＵＥ特定の検索空間を介して受信される。その後、端末はＤＣＩ内に含まれたリソース割り当てフィールドを解釈する。この時、リソース割り当てフィールドはＰＤＳＣＨ又はＰＵＳＣＨのためのリソースを割り当てるためのフィールドを意味し、リソース割り当てフィールドは後述する実施例１及び２に基づいて解釈されることができる(Ｓ１００３)。また端末はリソース割り当てフィールドの解釈結果に基づく周波数リソース上でＰＤＳＣＨを受信するか又はＰＵＳＣＨを送信することができる(Ｓ１００５)。
【０１１５】
図１１を参照すると、本発明による基地局はＰＤＳＣＨ又はＰＵＳＣＨをスケジューリングするためのリソース割り当てフィールドを含むＤＣＩを送信することができる(Ｓ１１０１)。この時、ＤＣＩはＵＥ特定の検索空間を介して送信される。また、リソース割り当てフィールドに基づく周波数リソース内でＰＤＳＣＨを送信するか又はＰＵＳＣＨを受信することができる(Ｓ１１０３)。なお、リソース割り当てフィールドに基づく周波数リソースは後述する実施例１及び２に基づいて決定される。
【０１１６】
図１２を参照しながら本発明によるネットワークにおける動作について説明する。図１２に示したように、基地局はＰＤＳＣＨ又はＰＵＳＣＨをスケジューリングするためのリソース割り当てフィールドを含むＤＣＩを送信することができる(Ｓ１２０１)。この時、ＤＣＩはＵＥ特定の検索空間を介して送信される。ＤＣＩを受信した端末はＤＣＩ内に含まれたリソース割り当てフィールドを解釈する。この時、リソース割り当てフィールドはＰＤＳＣＨ又はＰＵＳＣＨのためのリソースを割り当てるためのフィールドを意味し、リソース割り当てフィールドは後述する実施例１及び２に基づいて解釈されることができる(Ｓ１２０３)。また端末はリソース割り当てフィールドの解釈結果に基づく周波数リソース上でＰＤＳＣＨを受信するか、又はＰＵＳＣＨを送信することができる。言い換えれば、基地局はリソース割り当てフィールドの解釈結果に基づく周波数リソース上でＰＤＳＣＨを送信するか又はＰＵＳＣＨを受信することができる(Ｓ１２０５)。
【０１１７】
以下、上述したＳ１００３、Ｓ１１０３及びＳ１２０３において、ＤＣＩのリソース割り当てフィールドを解釈してＰＤＳＣＨとＰＵＳＣＨのための周波数リソースを決定する実施例について説明する。
【０１１８】
ＮＲシステムでは、送信されるＤＣＩフィールドサイズが要求されるＤＣＩフィールドサイズより小さい場合、ＤＣＩフィールドを解釈するために２つの具現方法が考えられる。
【０１１９】
第１は、ＤＣＩフィールドを解釈する前にゼロ詰め(ｚｅｒｏ−ｐａｄｄｉｎｇ)を行うことができる。但し、この方法は開始リソースブロック(Ｓｔａｒｔｉｎｇ ＲＢ)は柔らかく(ｆｌｅｘｉｂｌｅ)選択できるが、割り当てリソースブロックの長さ(ａｌｌｏｃａｔｅｄ ｌｅｎｇｔｈ)の選択が制限的であり、割り当てリソースブロック長さの値が小さいこともできる。
【０１２０】
第２に、ＤＣＩフィールドを解釈する前にＤＣＩフィールドの値をスケーリング(Ｓｃａｌｉｎｇ)することができる。
【０１２１】
例えば、ＤＣＩにより指示されたＲＩＶ(Ｒｅｓｏｕｒｃｅ Ｉｎｄｉｃａｔｉｏｎ Ｖａｌｕｅ)値に基づいてスケーリング因子(Ｓｃａｌｉｎｇ ｆａｃｔｏｒ)を乗じ、活性ＢＷＰに対する周波数リソース割り当て情報を解釈することができる。言い換えれば、ＲＩＶ値に基づいて活性ＢＷＰに対する周波数リソース割り当て情報を解釈する時、スケーリング因子を考慮して周波数リソース割り当て情報を解釈することができる。具体的には、ｓｉｚｅ−ｄｅｆｉｎｉｎｇ ＢＷＰ(例えば、初期ＢＷＰ)内で割り当てられる割り当てリソースブロックの長さにスケーリング因子が乗じられた割り当てリソースブロックの長さをＤＣＩにより指示されたＲＩＶ値により導き出し、これを活性ＢＷＰに対する割り当てリソースブロックの長さとして使用することができる。
【０１２２】
さらに他の例として、ＤＣＩにより指示されたＲＩＶ値をｓｉｚｅ−ｄｅｆｉｎｉｎｇ ＢＷＰ(例えば、初期ＢＷＰ)に基づいて解釈して開始リソースブロック(Ｓｔａｒｔｉｎｇ ＲＢ)と割り当てリソースブロックの長さを導き出す。また導き出された開始リソースブロックと割り当てリソースブロックの長さに各々スケーリング因子を適用して活性ＢＷＰにマッピングすることができる。
【０１２３】
しかし、上述した２つの例示はいずれも少なくともＤＦＴ−Ｓ−ＯＦＤＭ上りリンク又はＰＵＳＣＨ−ＴＰ＝ｅｎａｂｌｅｄである上りリンクでは適合しないことができる。これはＤＦＴプリコーディングに基づく時に端末は複雑性(ｃｏｍｐｌｅｘｉｔｙ)を考慮して２、３及び／又は５の倍数にＰＵＳＣＨのためのリソースブロック(Ｒｅｓｏｕｒｃｅ Ｂｌｏｃｋ；ＲＢ)を割り当てる必要があるためである。
【０１２４】
また、上記例示したスケーリング方法によれば、２、３及び／又は５の倍数に割り当てられる条件に合わない不要な組み合わせが追加されるか、逆に上記条件に合う組み合わせが漏れることができる。
【０１２５】
従って、本発明では、ＰＤＳＣＨ又はＰＵＳＣＨのためのリソースブロックを割り当てる時、２、３及び／又は５の倍数に割り当てるという条件に応じながらスケーリングを行える方法について提案する。
【０１２６】
ＤＣＩフィールドサイズが実際にＰＤＳＣＨ又はＰＵＳＣＨをスケジューリングするためのＤＣＩフィールドサイズより小さいと、以下のようなリソース割り当て方式を考慮することができる。
【０１２７】
〔実施例〕
実施例１：
【０１２８】
ＲＩＶ値のうち、割り当てリソースブロックの長さ(ｌｅｎｇｔｈ ｏｆ ａｌｌｏｃａｔｅｄ ＲＢ)が２、３及び／又は５の倍数である組み合わせを優先して配置し、最低ＲＩＶ値又は最高ＲＶＩ値からマッピング又は整列することができる。そうではないと、既存のＲＩＶ値を縮小して減少したＲＩＶ(ｒｅｄｕｃｅｄ ＲＩＶ)値を生成する場合、既存のＲＩＶ値のうち、割り当てリソースブロックの長さが２、３及び／又は５の倍数ではない組み合わせを除外することができる。この時、２、３及び／又は５の倍数ではない、除外されたＲＩＶ値、即ち割り当てリソースブロックの長さが２、３及び／又は５の倍数であるＲＩＶ値は最低ＲＩＶ又は最高ＲＩＶ値からマッピング又は整列することができる。
【０１２９】
実施例２：
【０１３０】
スケーリング因子を適用して、ＲＩＶ値により開始リソースブロックと割り当てリソースブロックの長さを導き出す時、スケーリング因子は割り当てリソースブロックの長さが２、３及び／又は５の倍数になるように選択される。言い換えれば、ＲＩＶ値を初期ＢＷＰのようなｓｉｚｅ−ｄｅｆｉｎｉｎｇ ＢＷＰのサイズに基づいて開始リソースブロックと割り当てリソースブロックの長さを得た後、得られた開始リソースブロック及び／又は割り当てリソースブロックの長さにスケーリング因子を乗じて活性ＢＷＰのための開始リソースブロック及び／又は割り当てリソースブロックの長さを得ることができる。この時、スケーリング因子は割り当てリソースブロックの長さが２、３及び／又は５の倍数になるように選択される。
【０１３１】
例えば、初期ＢＷＰのようなｓｉｚｅ−ｄｅｆｉｎｉｎｇ ＢＷＰのサイズに(２^ａ＊３^ｂ＊５^ｃ)を乗じた値が、ターゲットＢＷＰ(即ち、活性ＢＷＰ)のサイズ以下の値のうち、最大値を有するようにするａ、ｂ、ｃの組み合わせに基づいてスケーリング因子を決定することができる。言い換えれば、ｓｉｚｅ−ｄｅｆｉｎｉｎｇ ＢＷＰ＊(２^ａ＊３^ｂ＊５^ｃ)≦ｔａｒｇｅｔ ＢＷＰ(ａｃｔｉｖｅ ＢＷＰ)を満たすａ、ｂ、ｃの組み合わせのうち、該当値が最大になるようにする組み合わせに基づいてスケーリング因子を決定する。
【０１３２】
この時、ａ、ｂ、ｃは負ではない整数(Ｎｏｎ−Ｎｅｇａｔｉｖｅ ｉｎｔｅｇｅｒ)である。即ち、ａ、ｂ、ｃは０又は正の整数である。従って、ａ、ｂ、ｃのうちの１つ又は２つの値が０になることもできる。また、スケーリング因子は正の整数に決定される。また、ｓｉｚｅ−ｄｅｆｉｎｉｎｇ ＢＷＰのサイズに(２^ａ＊３^ｂ＊５^ｃ)を乗じた値が、ターゲットＢＷＰ(即ち、活性ＢＷＰ)のサイズ以下の値のうち、最大の整数値を有するようにするａ、ｂ、ｃの組み合わせに基づいて決定される。
【０１３３】
なお、スケーリング因子はターゲットＢＷＰのサイズより大きい値のうち、最小値を有するようにする(２^ａ＊３^ｂ＊５^ｃ)の組み合わせに基づいて設定されることもできる。
【０１３４】
一方、ＲＡ(ｒｅｓｏｕｒｃｅ ａｌｌｏｃａｔｉｏｎ)のビットフィールドサイズの決定に使用されるＢＷＰサイズ(例えば、初期ＢＷＰのサイズ)及び実際ＰＤＳＣＨ又はＰＵＳＣＨが送信されるＢＷＰのサイズ(例えば、活性ＢＷＰのサイズ)をパラメータとして使用してスケーリング因子値を決定することができる。
【０１３５】
例えば、実際ＰＤＳＣＨ又はＰＵＳＣＨが送信されるＢＷＰサイズをＲＡビットフィールドサイズの決定に使用するＢＷＰサイズで割った値に、ｆｌｏｏｒ、ｃｅｉｌｉｎｇ又はｒｏｕｎｄ関数を適用してスケーリング因子値を導き出すことができる。
【０１３６】
上記導き出されたスケーリング因子値によりＲＩＶ値をスケーリングして得た開始リソースブロックインデックス(Ｓｔａｒｔｉｎｇ ＲＢ ｉｎｄｅｘ)及び割り当てリソースブロックの長さ(ｌｅｎｇｔｈ ｏｆ ａｌｌｏｃａｔｅｄ ＲＢ)値が２、３及び／又は５の倍数ではないと、開始リソースブロックインデックス(Ｓｔａｒｔｉｎｇ ＲＢ ｉｎｄｅｘ)及び／又は割り当てリソースブロックの長さ(ｌｅｎｇｔｈ ｏｆ ａｌｌｏｃａｔｅｄ ＲＢ)値を以下のような追加過程により変換することができる。
【０１３７】
１)ＲＩＶ値をスケーリング因子に基づいてスケーリングした後、開始リソースブロックインデックス及び割り当てリソースブロックの長さ値をターゲットＢＷＰ(例えば、活性ＢＷＰ)基準のＲＩＶ値に変換することができる。その後、割り当てリソースブロックの長さが２、３及び／又は５の倍数になるようにＲＩＶ値を増加又は減少させた後、ＲＩＶ値を再度開始リソースブロックインデックス及び割り当てリソースブロックの長さ値に変換することができる。
【０１３８】
２)ＲＩＶ値をスケーリング因子に基づいてスケーリングした後、開始リソースブロックインデックス及び割り当てリソースブロックの長さを得る。その後、割り当てリソースブロックの長さが２、３及び／又は５の倍数になるように変換する。例えば、(２^ａ＊３^ｂ＊５^ｃ)≦割り当てリソースブロックの長さを満たすａ、ｂ、ｃの組み合わせのうち、最大の(２^ａ＊３^ｂ＊５^ｃ)の値を有するようにする新しい割り当てリソースブロックの長さに変換する。
【０１３９】
言い換えれば、(２^ａ＊３^ｂ＊５^ｃ)が得られた割り当てリソースブロックの長さ以下の値になるａ、ｂ、ｃ組み合わせのうち、最大の(２^ａ＊３^ｂ＊５^ｃ)を有するようにするａ、ｂ、ｃ組み合わせを選択して、新しい割り当てリソースブロック長さの変換に使用することができる。
【０１４０】
この時、ａ、ｂ、ｃは負ではない整数である。即ち、ａ、ｂ、ｃは０又は正の整数である。よって、ａ、ｂ、ｃのうちの１つ或いは２つの値が０になることができる。また、スケーリング因子は正の整数に決定される。
【０１４１】
上述したＤＣＩに含まれたビットフィールドの解釈方法は、ＤＳＣＨ又はＰＵＳＣＨに対して区分せずに適用される。例えば、ＰＵＳＣＨに対して適用する場合、ＤＦＴ−Ｓ−ＯＦＤＭ波形が使用されるか、又はＰＵＳＣＨ−ＴＰがｅｎａｂｌｅｄされた場合に適用される。
【０１４２】
図１３は本発明の実施例による無線通信装置の一実施例を示す。
【０１４３】
図１３に示した無線通信装置は、本発明の実施例による端末及び／又は基地局を示す。しかし、図１３の無線通信装置はこの実施例による端末及び／又は基地局に限定されず、車両通信システム又は装置、ウェアラブルデバイス(ｗｅａｒａｂｌｅ ｄｅｖｉｃｅ)、ラップトップ、スマートフォンなどの様々な装置に代替することができる。より具体的には、上記装置は基地局、ネットワークノード、送信端末、受信端末、無線装置、無線通信装置、車両、自律走行機能を有する車両、ドローン(Ｕｎｍａｎｎｅｄ Ａｅｒｉａｌ Ｖｅｈｉｃｌｅ、ＵＡＶ)、ＡＩ(Ａｒｔｉｆｉｃｉａｌ Ｉｎｔｅｌｌｉｇｅｎｃｅ)モジュール、ロボット、ＡＲ(Ａｕｇｍｅｎｔｅｄ Ｒｅａｌｉｔｙ)装置、ＶＲ(Ｖｉｒｔｕａｌ Ｒｅａｌｉｔｙ)装置、ＭＴＣ装置、ＩｏＴ装置、医療装置、フィンテック装置(又は金融装置)、保安装置、気候／環境装置又はそれ以外の４次産業革命分野又は５Ｇサービスに関連する装置などである。例えば、ドローンは、人は搭乗せず、無線制御信号により飛行する飛行体である。例えば、ＭＴＣ装置及びＩｏＴ装置は、人の直接的な介入又は操作が必要ではない装置であって、スマートメーター、自動販売機、体温計、スマート電球、ドアロック、各種センサーなどがある。例えば、医療装置は、疾病を診断、治療、軽減、処置又は予防するために使用される装置、構造又は機能を検査、代替又は変形するために使用される装置であって、診療用装備、手術用装置、(体外)診断用装置、補聴器、施術用装置などがある。例えば、保安装置は、発生する恐れがある危険を防止し、安全を維持するために設置した装置であり、カメラ、ＣＣＴＶ、ブラックボックスなどがある。例えば、フィンテック装置は、モバイル決済などの金融サービスを提供する装置であって、決済装置、ＰＯＳ(Ｐｏｉｎｔ ｏｆ Ｓａｌｅｓ)などがある。例えば、気候／環境装置は、気候／環境をモニタリング、予測する装置を意味する。
【０１４４】
また、送信端末及び受信端末は携帯電話、スマートフォン(Ｓｍａｒｔ ｐｈｏｎｅ)、ラップトップ型ＰＣ(ｌａｐｔｏｐ ｃｏｍｐｕｔｅｒ)、デジタル放送用端末器、ＰＤＡ(ｐｅｒｓｏｎａｌ ｄｉｇｉｔａｌ ａｓｓｉｓｔａｎｔｓ)、ＰＭＰ(ｐｏｒｔａｂｌｅ ｍｕｌｔｉｍｅｄｉａ ｐｌａｙｅｒ)、ナビゲーション、スレートＰＣ(Ｓｌａｔｅ ＰＣ)、タブレット型パソコン(ｔａｂｌｅｔ ＰＣ)、ウルトラブック(ｕｌｔｒａｂｏｏｋ)、ウェアラブルデバイス(ｗｅａｒａｂｌｅ Ｄｅｖｉｃｅ、例えば、スマートウオッチ(Ｓｍａｒｔｗａｔｃｈ)、グラス型端末器(Ｓｍａｒｔ ｇｌａｓｓ)、ＨＭＤ(ｈｅａｄ ｍｏｕｎｔｅｄ ｄｉｓｐｌａｙ))、折り畳み式(ｆｏｌｄａｂｌｅ)デバイスなどを含む。例えば、ＨＭＤは頭部に装着する形態のディスプレイ装置であって、ＶＲ又はＡＲの具現に使用される。
【０１４５】
図１３を参照すると、本発明の実施例による端末及び／又は基地局は、デジタル信号プロセッサ(Ｄｉｇｉｔａｌ Ｓｉｇｎａｌ Ｐｒｏｃｅｓｓｏｒ；ＤＳＰ)又はマイクロプロセッサのような少なくとも１つのプロセッサ１０、トランシーバ(Ｔｒａｎｓｃｅｉｖｅｒ)３５、電力管理モジュール５、アンテナ４０、バッテリー５５、ディスプレイ１５、キーパッド２０、メモリ３０、加入者識別モジュール(ＳＩＭ)カード２５、スピーカー４５及びマイクロホン５０などを含む。また端末及び／又は基地局は単一アンテナ又は多重アンテナを含む。なお、トランシーバ３５はＲＦモジュール(ｒａｄｉｏ Ｆｒｅｑｕｅｎｃｙ ＭＯＤＵＬＥ)とも呼ばれる。
【０１４６】
プロセッサ１０は、図１乃至図１２に説明した機能、手順及び／又は方法を具現するように構成される。図１乃至図１２に説明した実施例のうちの少なくとも一部において、プロセッサ１０は無線インターフェースプロトコールの階層(例えば、機能階層(ｆｕｎｃｔｉｏｎａｌ ｌａｙｅｒｓ))のような１つ以上のプロトコールを具現する。
【０１４７】
メモリ３０はプロセッサ１０に連結されてプロセッサ１０の動作に関連する情報を貯蔵する。メモリ３０はプロセッサ１０の内部又は外部に位置し、有線又は無線通信のような様々な技術によりプロセッサに連結される。
【０１４８】
ユーザはキーパッド２０のボタンを押すことにより又はマイクロホン５０を用いた音声活性化のような様々な技術により、様々な類型の情報(例えば、電話番号のような指示情報)を入力することができる。プロセッサ１０はユーザの情報を受信及び／又は処理し、電話番号をダイアルするような適切な機能を行う。
【０１４９】
上記適切な機能を行うために、ＳＩＭカード２５又はメモリ３０からデータ(例えば、操作データ)を検索することもできる。また、プロセッサ１０はＧＰＳチップからＧＰＳ情報を受信及び処理して車両ナビゲーション、マップサービスなどのような端末及び／又は基地局の位置情報を得るか、又は位置情報に関連する機能を行うことができる。また、プロセッサ１０はユーザの参照及び便宜のためにかかる様々な類型の情報及びデータをディスプレイ１５上に表示することができる。
【０１５０】
トランシーバ３５はプロセッサ１０に連結されてＲＦ(Ｒａｄｉｏ Ｆｒｅｑｕｅｎｃｙ)信号のような無線信号を送信及び／又は受信する。この時、プロセッサ１０は通信を開始し、音声通信データのような様々な類型の情報又はデータを含む無線信号を送信するようにトランシーバ３５を制御する。トランシーバ３５は無線信号を受信する受信器及び送信する送信器を含む。アンテナ４０は無線信号の送信及び受信を容易にする。一部の実施例において、無線信号が受信されると、トランシーバ３５はプロセッサ１０による処理のために基底帯域周波数に信号をフォーワーディングして変換する。処理された信号は可聴又は読み取り可能な情報に変換されるなど様々な技術によって処理され、かかる信号はスピーカー４５により出力される。
【０１５１】
一部の実施例においてはセンサもプロセッサ１０に連結される。センサは速度、加速度、光、振動などを含む様々な類型の情報を検出するように構成された１つ以上の感知装置を含む。近接、位置、イメージなどのようにセンサから得られたセンサ情報をプロセッサ１０が受信して処理することにより、衝突回避、自律走行などの各種機能を行うことができる。
【０１５２】
一方、カメラ、ＵＳＢポートなどのような様々な構成要素が端末及び／又は基地局にさらに含まれる。例えば、カメラがプロセッサ１０にさらに連結されることができ、かかるカメラは自律走行、車両安全サービスなどのような様々なサービスに使用されることができる。
【０１５３】
このように図１３は端末及び／又は基地局を構成する装置の一実施例に過ぎず、これに限られない。例えば、キーパッド２０、ＧＰＳ(Ｇｌｏｂａｌ Ｐｏｓｉｔｉｏｎｉｎｇ Ｓｙｓｔｅｍ)チップ、センサ、スピーカー４５及び／又はマイクロホン５０のような一部の構成要素は、一部の実施例において端末及び／又は基地局の具現のために除外されることもできる。
【０１５４】
具体的には、本発明の実施例を具現するために、図１３に示された無線通信装置が本発明の実施例による端末である場合の動作について説明する。上記無線通信装置が本発明の実施例による端末である場合、プロセッサ１０はＰＤＳＣＨ又はＰＵＳＣＨをスケジューリングするためのＤＣＩを受信するようにトランシーバ３５を制御する。例えば、ＤＣＩはＵＥ特定の検索空間を介して受信されることができる。その後、プロセッサ１０はＤＣＩ内に含まれたリソース割り当てフィールドを解釈する。この時、リソース割り当てフィールドはＰＤＳＣＨ又はＰＵＳＣＨのためのリソースを割り当てるためのフィールドを意味し、リソース割り当てフィールドは上述した実施例１及び２に基づいて解釈できる。またプロセッサ１０はリソース割り当てフィールドの解釈結果に基づく周波数リソース上でＰＤＳＣＨを受信するか又はＰＵＳＣＨを送信するようにトランシーバ３５を制御することができる。
【０１５５】
一方、本発明の実施例を具現するために、図１３に示された無線通信装置が本発明の実施例による基地局である場合、プロセッサ１０はＰＤＳＣＨ又はＰＵＳＣＨをスケジューリングするためのリソース割り当てフィールドを含むＤＣＩを送信するようにトランシーバ３５を制御する。この時、ＤＣＩはＵＥ特定の検索空間を介して送信されることができる。またプロセッサ１０はリソース割り当てフィールドに基づく周波数リソース内でＰＤＳＣＨを送信するか又はＰＵＳＣＨを受信するようにトランシーバ３５を制御することができる。一方、リソース割り当てフィールドに基づく周波数リソースは、上述した実施例１及び２に基づいて決定される。
【０１５６】
以上説明してきた実施例は、本発明の構成要素及び特徴を所定形態に結合したものである。各構成要素又は特徴は、別の明示的な言及がない限り、選択的なものとして考慮される。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０１５７】
本文書で基地局によって行われるとした特定動作は、場合によってはその上位ノード(ｕｐｐｅｒ ｎｏｄｅ)によって行われることもある。即ち、基地局を含む複数のネットワークノード(ｎｅｔｗｏｒｋ ｎｏｄｅｓ)からなるネットワークにおいて端末との通信のために行われる様々な動作は、基地局又は基地局以外の他のネットワークノードによって行われ得ることは明らかである。基地局は、固定局(ｆｉｘｅｄ ｓｔａｔｉｏｎ)、ＮｏｄｅＢ、ｅＮｏｄｅＢ(ｅＮＢ)、アクセスポイント(ａｃｃｅｓｓ ｐｏｉｎｔ)などの用語にしてもよい。
【０１５８】
本発明に係る実施例は、様々な手段、例えば、ハードウェア、ファームウェア(ｆｉｒｍｗａｒｅ)、ソフトウェア又はそれらの結合などによって具現することができる。ハードウェアによる具現では、本発明の一実施例は、一つ以上のＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)、プロセッサ、コントローラ、マイクロコントローラ、マイクロプロセッサなどによって具現することができる。
【０１５９】
ファームウェアやソフトウェアによる具現では、本発明の一実施例は、以上で説明された機能又は動作を実行するモジュール、手順、関数などの形態で具現されてもよい。ソフトウェアコードは、メモリユニットに記憶され、プロセッサによって駆動可能である。メモリユニットは、プロセッサの内部又は外部に設けられ、公知の様々な手段によってプロセッサとデータを交換することができる。
【０１６０】
本発明は、本発明の特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０１６１】
以上のようなデータチャネルを送受信する方法及びそのための装置は、５世代Ｎｅｗ ＲＡＴシステムに適用される例を中心として説明したが、５世代Ｎｅｗ ＲＡＴシステム以外にも様々な無線通信システムに適用することができる。
【図１】
2020522903.tif 000008
【図２】
2020522903.tif 000009
【図３】
2020522903.tif 000010
【図４】
2020522903.tif 000011
【図５】
2020522903.tif 000012
【図６】
2020522903.tif 000013
【図７】
2020522903.tif 000014
【図８】
2020522903.tif 000015
【図９】
2020522903.tif 000016
【図１０】
2020522903.tif 000017
【図１１】
2020522903.tif 000018
【図１２】
2020522903.tif 000019
【図１３】
2020522903.tif 000020
【国際調査報告】
2020522903.tif 000021
2020522903.tif 000022
2020522903.tif 000023
2020522903.tif 000024